(57)【要約】  ウェブプラットフォームベースの宿泊施設共有サービス提供方法が提供される。本方法は、複数の宿泊施設に関する情報を保存するデータベースを準備する段階、複数のクライアントからそれぞれ宿泊施設使用申し込みを受信する段階、上記宿泊施設申し込みに基づいて宿泊施設共有候補グループを構成する段階、(iv)上記複数のメンバーIDのそれぞれに対して上記該当提供に対する廢房日時ペナルティー金額及び上記該当使用宿泊施設に対する開房日時ペナルティー金額が事業者によって指定された口座まで預けされたことをオンラインで確認することに応答して上記宿泊施設共有候補グループを宿泊施設共有グループに確定する段階、及び上記確定された宿泊施設共有グループの上記グループIDと関連した特定メンバーIDによって識別されるクライアントから上記該当提供宿泊施設が廢房されている事を知らせる通知メッセージを上記該当提供宿泊施設の廢房日時から先定された時間内に受信出来ず上記事業者端末から上記特定メンバーIDを識別する識別情報を含むメッセージを受信したり上記特定メンバーIDによって識別されるクライアントから事業者識別情報を含むメッセージを受信する場合、上記特定メンバーIDと関連した上記口座まで上記該当提供に対する廢房日時ペナルティー金額がオンライン入金されるようにする段階を含むことが出来る。
2020513132.tif 000002
【特許請求の範囲】
【請求項１】
ウェブプラットフォームベースの宿泊施設共有サービス提供方法として、
(i)複数の宿泊施設に関する情報を保存するデータベースを準備する段階、
(ii)複数のクライアントからそれぞれ宿泊施設使用申し込みを受信する段階-上記宿泊施設申し込みのそれぞれは上記複数の宿泊施設の内、少なくとも一つを指定する情報を含む。
(iii)上記宿泊施設申し込みに基づいて宿泊施設共有候補グループを構成する段階-上記宿泊施設共有候補グループはグループID(Identification)によって識別され、上記グループIDは複数のメンバーIDと関連していて、上記複数のメンバーIDは上記複数のクライアントの内一部のクライアントを識別し、上記宿泊施設共有候補グループを構成する段階は上記複数のメンバーIDのそれぞれと関連したメンバー情報を保存する段階を含めて、上記複数のメンバーIDのそれぞれと関連した上記メンバー情報は提供宿泊施設の開房日時、上記提供宿泊施設の廢房日時、使用宿泊施設の開房日時、上記使用宿泊施設の廢房日時、上記提供宿泊施設に対する開房日時ペナルティー(penalty)金額、上記提供宿泊施設に対する廢房日時ペナルティー金額、上記使用宿泊施設に対する開房日時ペナルティー金額及び上記使用宿泊施設に対する廢房日時ペナルティー金額に関する情報を含めて、上記複数のメンバーIDのそれぞれと関連した上記メンバー情報は上記該当メンバーIDと関連した口座に関する情報をさらに含む。
(iv)上記複数のメンバーIDのそれぞれに対して上記該当提供に対する廢房日時ペナルティー金額及び上記該当使用宿泊施設に対する開房日時ペナルティー金額が事業者によって指定された口座まで預けされたことをオンラインで確認することに応答して上記宿泊施設共有候補グループを宿泊施設共有グループに確定する段階、及び
(v)上記確定された宿泊施設共有グループの上記グループIDと関連した特定メンバーIDによって識別されるクライアントから上記該当提供宿泊施設が廢房されている事を知らせる通知メッセージを上記該当提供宿泊施設の廢房日時から先定された時間内に受信出来ず上記事業者端末から上記特定メンバーIDを識別する識別情報を含むメッセージを受信したり上記特定メンバーIDによって識別されるクライアントから事業者識別情報を含むメッセージを受信する場合、上記特定メンバーIDと関連した上記口座まで上記該当提供に対する廢房日時ペナルティー金額がオンライン入金されるようにする段階を含む宿泊施設共有サービス提供方法。
【請求項２】
第1項において、
上記該当提供に対する廢房日時ペナルティー金額がオンライン入金されるようにする段階は、上記確定された宿泊施設共有グループの上記グループIDと関連した特定メンバーIDによって識別されるクライアントから上記通知メッセージを上記該当提供宿泊施設の廢房日時から上記先定された時間内に受信出来ない場合、上記事業者端末に上記該当提供宿泊施設まで出動せよという出動命令メッセージを送信する段階を含む、宿泊施設共有サービス提供方法。
【請求項３】
第1項において、
上記使用宿泊施設は上記複数のメンバーIDの内、いずれか一つのメンバーIDによって識別されるクライアントによって提供される宿泊施設であり、
上記複数の宿泊施設に関する情報は上記提供宿泊施設に関する情報及び上記使用宿泊施設に関する情報を含む、宿泊施設共有サービス提供方法。
【請求項４】
第1項において、
(iii-1)上記複数のメンバーIDのそれぞれによって識別されるクライアントに上記該当提供に対する開房日時ペナルティー金額及び上記該当使用宿泊施設に対する廢房日時ペナルティー金額を上記事業者によって指定された口座まで入金せよと案内する案内メッセージを送信する段階をさらに含む宿泊施設共有サービス提供方法。
【請求項５】
第1項において、
(vi)上記特定メンバーIDによって識別されるクライアントから上記該当使用宿泊施設が上記該当使用宿泊施設の開房日時から開房されている事を知らせる通知メッセージを上記該当使用宿泊施設の開房日時から先定された時間内に受信出来ず上記事業者端末から上記特定メンバーIDを識別する識別情報を含むメッセージを受信したり上記特定メンバーIDによって識別されるクライアントから上記事業者識別情報を含むメッセージを受信する場合、上記特定メンバーIDと関連した上記口座まで上記該当使用宿泊施設に対する開房日時ペナルティー金額がオンライン入金されるようにする段階をさらに含む宿泊施設共有サービス提供方法。
【請求項６】
第1項において、
上記段階(iii)は、上記複数のメンバーIDによってそれぞれ識別される上記一部のクライアント達の内、少なくとも一つから上記該当提供に対する廢房日時ペナルティー金額に関する情報を入力させてもらう段階をさらに含む、宿泊施設共有サービス提供方法。
【請求項７】
第項において、
上記段階(iii)は、上記複数のメンバーIDによってそれぞれ識別される上記一部のクライアント達の内、少なくとも一つから上記該当提供に対する開房日時ペナルティー金額に関する情報を入力させてもらう段階をさらに含む、宿泊施設共有サービス提供方法。
【請求項８】
第6項において、
上記複数のメンバーIDによってそれぞれ識別される上記一部のクライアント達のそれぞれから上記該当提供に対する廢房日時ペナルティー金額に関する情報を入力させてもらう段階は上記複数のメンバーIDによってそれぞれ識別される上記一部のクライアント達のそれぞれが上記該当提供宿泊施設から先定された距離内に位置する少なくとも一つの近くの宿泊施設の宿泊料に関する情報を提供する段階を含む、宿泊施設共有サービス提供方法。
【請求項９】
第7項において、
上記複数のメンバーIDによってそれぞれ識別される上記一部のクライアント達のそれぞれから上記該当提供に対する開房日時ペナルティー金額に関する情報を入力させてもらう段階は、上記複数のメンバーIDによってそれぞれ識別される上記一部のクライアント達のそれぞれが上記該当提供宿泊施設から先定された距離内に位置する少なくとも一つの近くの宿泊施設の宿泊料に関する情報を提供する段階を含む、宿泊施設共有サービス提供方法。
【請求項１０】
第1項において、
上記特定メンバーIDを識別する識別情報は、上記特定メンバーIDを識別するパスワード、指紋情報、血管情報、虹彩情報、網膜情報、音声情報、画像情報、署名情報、テキスト情報、音情報及び上記パスワード、上記指紋情報、上記血管情報、上記虹彩情報、上記網膜情報、上記音声情報、上記画像情報、上記署名情報、上記テキスト情報、または上記音情報を暗号化した情報の内いずれか一つの宿泊施設共有サービス提供方法。
【請求項１１】
第1項において、
上記宿泊施設共有候補グループは１次宿泊施設共有のための１次宿泊候補グループから３次宿泊施設共有のための３次宿泊候補グループの内、いずれか一つの宿泊施設共有サービス提供方法。
【請求項１２】
ウェブプラットフォームベースの宿泊施設共有サービス提供方法として、
(i)複数の宿泊施設に関する情報を保存するデータベースを準備する段階、
(ii)複数のクライアントからそれぞれ宿泊施設使用申し込みを受信する段階-上記宿泊施設申し込みのそれぞれは上記複数の宿泊施設の内、少なくとも一つを指定する情報を含む。
(iii)上記宿泊施設申し込みに基づいて宿泊施設共有候補グループを構成する段階-上記宿泊施設共有候補グループはグループID(Identification)によって識別され、上記グループIDは複数のメンバーIDと関連していて、上記複数のメンバーIDは上記複数のクライアントの内一部のクライアントを識別し、上記宿泊施設共有候補グループを構成する段階は上記複数のメンバーIDのそれぞれと関連したメンバー情報を保存する段階を含めて、上記複数のメンバーIDのそれぞれと関連した上記メンバー情報は提供宿泊施設の開房日時、上記提供宿泊施設の廢房日時、使用宿泊施設の開房日時、上記使用宿泊施設の廢房日時、上記提供宿泊施設に対する開房日時ペナルティー金額、上記提供宿泊施設に対する廢房日時ペナルティー金額、上記使用宿泊施設に対する開房日時ペナルティー金額及び上記使用宿泊施設に対する廢房日時ペナルティー金額に関する情報を含めて上記複数のメンバーIDのそれぞれと関連した上記メンバー情報は上記該当メンバーIDと関連した口座に関する情報をさらに含む。
(iv)上記複数のメンバーIDのそれぞれに対して上記該当提供に対する廢房日時ペナルティー金額及び上記該当使用宿泊施設に対する開房日時ペナルティー金額が事業者によって指定された口座まで預けされたことをオンラインで確認することに応答して上記宿泊施設共有候補グループを宿泊施設共有グループに確定する段階、及び
(v)上記確定された宿泊施設共有グループの上記グループIDと関連した特定メンバーIDによって識別されるクライアントから上記該当使用宿泊施設が開房されている事を知らせる通知メッセージを上記該当使用宿泊施設の開房日時から先定された時間内に受信出来ず上記事業者端末から上記特定メンバーIDを識別する識別情報を含むメッセージを受信したり上記特定メンバーIDによって識別されるクライアントから事業者識別情報を含むメッセージを受信する場合、上記特定メンバーIDと関連した上記口座まで上記該当使用宿泊施設に対する開房日時ペナルティー金額がオンライン入金されるようにする段階を含む宿泊施設共有サービス提供方法。
【請求項１３】
第12項において、
上記該当使用宿泊施設に対する開房日時ペナルティー金額がオンライン入金されるようにする段階は、上記確定された宿泊施設共有グループの上記グループIDと関連した特定メンバーIDによって識別されるクライアントから上記通知メッセージを上記該当使用宿泊施設の開房日時から上記先定された時間内に受信出来ない場合、上記事業者端末に上記該当使用宿泊施設まで出動せよという出動命令メッセージを送信する段階を含む、宿泊施設共有サービス提供方法。
【請求項１４】
第12項において、
上記使用宿泊施設は上記複数のメンバーIDの内、いずれか一つのメンバーIDによって識別されるクライアントによって提供される宿泊施設であり、
上記複数の宿泊施設に関する情報は上記提供宿泊施設に関する情報及び上記使用宿泊施設に関する情報を含む、宿泊施設共有サービス提供方法。
【請求項１５】
第12項において、
(iii-1)上記複数のメンバーIDのそれぞれによって識別されるクライアントに上記該当提供に対する開房日時ペナルティー金額及び上記該当使用宿泊施設に対する廢房日時ペナルティー金額を上記事業者によって指定された口座まで入金せよと案内する案内メッセージを送信する段階をさらに含む宿泊施設共有サービス提供方法。
【請求項１６】
第12項において、
(vi)上記特定メンバーIDによって識別されるクライアントから上記該当提供宿泊施設が上記該当提供宿泊施設の廢房日時から廢房されている事を知らせる通知メッセージを上記該当提供宿泊施設の廢房日時から先定された時間内に受信出来ず上記事業者端末から上記特定メンバーIDを識別する識別情報を含むメッセージを受信したり上記特定メンバーIDによって識別されるクライアントから上記事業者識別情報を含むメッセージを受信する場合、上記特定メンバーIDと関連した上記口座まで上記該当提供に対する廢房日時ペナルティー金額がオンライン入金されるようにする段階をさらに含む宿泊施設共有サービス提供方法。
【請求項１７】
第12項において、
上記段階(iii)は、上記複数のメンバーIDによってそれぞれ識別される上記一部のクライアント達の内、少なくとも一つから上記該当提供に対する廢房日時ペナルティー金額に関する情報を入力させてもらう段階をさらに含む、宿泊施設共有サービス提供方法。
【請求項１８】
第17項において、
上記段階(iii)は、上記複数のメンバーIDによってそれぞれ識別される上記一部のクライアント達の内、少なくとも一つから上記該当提供に対する開房日時ペナルティー金額に関する情報を入力させてもらう段階をさらに含む、宿泊施設共有サービス提供方法。
【請求項１９】
第17項において、
上記複数のメンバーIDによってそれぞれ識別される上記一部のクライアント達のそれぞれから上記該当提供に対する廢房日時ペナルティー金額に関する情報を入力させてもらう段階は上記複数のメンバーIDによってそれぞれ識別される上記一部のクライアント達のそれぞれが上記該当提供宿泊施設から先定された距離内に位置する少なくとも一つの近くの宿泊施設の宿泊料に関する情報を提供する段階を含む、宿泊施設共有サービス提供方法。
【請求項２０】
第18項において、
上記複数のメンバーIDによってそれぞれ識別される上記一部のクライアント達のそれぞれから上記該当提供宿泊施設に対する開房日時ペナルティー金額に関する情報を入力させてもらう段階は上記複数のメンバーIDによってそれぞれ識別される上記一部のクライアント達のそれぞれが上記該当提供宿泊施設から先定された距離内に位置する少なくとも一つの近くの宿泊施設の宿泊料に関する情報を提供する段階を含む、宿泊施設共有サービス提供方法。
【請求項２１】
第12項において、
上記特定メンバーIDを識別する識別情報は、上記特定メンバーIDを識別するパスワード、指紋情報、血管情報、虹彩情報、網膜情報、音声情報、画像情報、署名情報、テキスト情報、音情報及び上記パスワード、上記指紋情報、上記血管情報、上記虹彩情報、上記網膜情報、上記音声情報、上記画像情報、上記署名情報、上記テキスト情報、または上記音情報を暗号化した情報の内、いずれか一つの宿泊施設共有サービス提供方法。
【請求項２２】
第12項において、
上記宿泊施設共有候補グループは１次宿泊施設共有のための１次宿泊候補グループから３次宿泊施設共有のための３次宿泊候補グループの内、いずれか一つの宿泊施設共有サービス提供方法。
【請求項２３】
ウェブプラットフォームベースの宿泊施設共有サービス提供方法として、
(i)複数の宿泊施設に関する情報を保存するデータベースを準備する段階、
(ii)複数のクライアントからそれぞれ宿泊施設使用申し込みを受信する段階-上記宿泊施設申し込みのそれぞれは上記複数の宿泊施設の内、少なくとも一つを指定する情報を含む。
(iii)上記宿泊施設申し込みに基づいて宿泊施設共有候補グループを構成する段階-上記宿泊施設共有候補グループはグループID(Identification)によって識別され、上記グループIDは複数のメンバーIDと関連していて、上記複数のメンバーIDは上記複数のクライアントの内一部のクライアントを識別し、上記宿泊施設共有候補グループを構成する段階は上記複数のメンバーIDのそれぞれと関連したメンバー情報を保存する段階を含めて、上記複数のメンバーIDのそれぞれと関連した上記メンバー情報は提供宿泊施設に対する設備瑕疵ペナルティー金額、使用宿泊施設に対する設備瑕疵ペナルティー金額及び上記該当メンバーIDと関連した口座に関する情報を含む。
(iv)上記複数のメンバーIDのそれぞれに対して上記該当使用宿泊施設に対する設備瑕疵ペナルティー金額が事業者によって指定された口座まで預けされたことをオンラインで確認することに応答して上記宿泊施設共有候補グループを宿泊施設共有グループに確定する段階、及び
(v)上記確定された宿泊施設共有グループの上記グループIDと関連した特定メンバーIDによって識別されるクライアントから上記該当使用宿泊施設に設備瑕疵があることを知らせる通知メッセージを受信して上記事業者端末から上記特定メンバーIDを識別する識別情報を含むメッセージを受信したり上記特定メンバーIDによって識別されるクライアントから事業者識別情報を含むメッセージを受信する場合、上記特定メンバーIDと関連した上記口座まで上記該当使用宿泊施設に対する設備瑕疵ペナルティー金額がオンライン入金されるようにする段階を含む宿泊施設共有サービス提供方法。
【請求項２４】
第23項において、
上記使用宿泊施設は上記複数のメンバーIDの内、いずれか一つのメンバーIDによって識別されるクライアントによって提供される宿泊施設であり、
上記複数の宿泊施設に関する情報は上記提供宿泊施設に関する情報及び上記使用宿泊施設に関する情報を含む、宿泊施設共有サービス提供方法。
【請求項２５】
第23項において、
(iii-1)上記複数のメンバーIDのそれぞれによって識別されるクライアントに上記該当提供に対する設備瑕疵ペナルティー金額を上記事業者によって指定された口座まで入金せよと案内する案内メッセージを送信する段階をさらに含む宿泊施設共有サービス提供方法。
【請求項２６】
第23項において、
上記段階(iii)は、上記複数のメンバーIDによってそれぞれ識別される上記一部のクライアント達の内、少なくとも一つから上記該当提供に対する設備瑕疵ペナルティー金額に関する情報を入力させてもらう段階をさらに含む、宿泊施設共有サービス提供方法。
【請求項２７】
第26項において、
上記複数のメンバーIDによってそれぞれ識別される上記一部のクライアント達のそれぞれから上記該当提供に対する設備瑕疵ペナルティー金額に関する情報を入力させてもらう段階は上記複数のメンバーIDによってそれぞれ識別される上記一部のクライアント達のそれぞれが上記該当提供宿泊施設から先定された距離内に位置する少なくとも一つの近くの宿泊施設の宿泊料に関する情報を提供する段階を含む、宿泊施設共有サービス提供方法。
【請求項２８】
第23項において、
上記特定メンバーIDを識別する識別情報は、上記特定メンバーIDを識別するパスワード、指紋情報、血管情報、虹彩情報、網膜情報、音声情報、画像情報、署名情報、テキスト情報、音情報及び上記パスワード、上記指紋情報、上記血管情報、上記虹彩情報、上記網膜情報、上記音声情報、上記画像情報、上記署名情報、上記テキスト情報、または上記音情報を暗号化した情報の内いずれか一つの宿泊施設共有サービス提供方法。
【請求項２９】
第23項において、
上記宿泊施設共有候補グループは１次宿泊施設共有のための１次宿泊候補グループから３次宿泊施設共有のための３次宿泊候補グループの内、いずれか一つの宿泊施設共有サービス提供方法。
【請求項３０】
宿泊施設共有サービス提供のためのウェブサーバーとして、
複数の宿泊施設に関する情報を保存するデータベース部、
複数のクライアントからそれぞれ宿泊施設使用申し込みを受信するように構成された通信部-上記宿泊施設申し込みのそれぞれは上記複数の宿泊施設の内、少なくとも一つを指定する情報を含む。及び
上記データベース部と連動され、上記宿泊施設申し込みに基づいて宿泊施設共有候補グループを構成するように構成された制御部-上記宿泊施設共有候補グループはグループIDによって識別され、上記グループIDは複数のメンバーIDと関連していて、上記複数のメンバーIDは上記複数のクライアントの内一部のクライアントを識別する。-を含めて、
上記データベース部は上記複数のメンバーIDのそれぞれと関連したメンバー情報をさらに保存し、上記複数のメンバーIDのそれぞれと関連した上記メンバー情報は提供宿泊施設の開房日時、上記提供宿泊施設の廢房日時、使用宿泊施設の開房日時、上記使用宿泊施設の廢房日時、上記提供宿泊施設に対する開房日時ペナルティー金額、上記提供宿泊施設に対する廢房日時ペナルティー金額、上記使用宿泊施設に対する開房日時ペナルティー金額及び上記使用宿泊施設に対する廢房日時ペナルティー金額に関する情報を含めて、上記複数のメンバーIDのそれぞれと関連した上記メンバー情報は上記該当メンバーIDと関連した口座に関する情報をさらに含めて、
上記制御部は上記複数のメンバーIDのそれぞれに対して上記該当提供に対する廢房日時ペナルティー金額及び上記該当使用宿泊施設に対する開房日時ペナルティー金額が事業者によって指定された口座まで預けされたことをオンラインで確認することに応答して上記宿泊施設共有候補グループを宿泊施設共有グループに確定するようにさらに構成され、
上記制御部は上記確定された宿泊施設共有グループの上記グループIDと関連した特定メンバーIDによって識別されるクライアントから上記該当提供宿泊施設が廢房されている事を知らせる通知メッセージを上記該当提供宿泊施設の廢房日時から先定された時間内に上記通信部を通じて受信出来ず上記事業者端末から上記特定メンバーIDを識別する識別情報を含むメッセージを上記通信部を通じて受信したり上記特定メンバーIDによって識別されるクライアントから事業者識別情報を含むメッセージを上記通信部を通じて受信する場合、上記特定メンバーIDと関連した上記口座まで上記該当提供に対する廢房日時ペナルティー金額がオンライン入金されるようにさらに構成される、ウェブサーバー。
【請求項３１】
第30項において、
上記使用宿泊施設は上記複数のメンバーIDの内、一つのメンバーIDによって識別されるクライアントによって提供される宿泊施設であり、
上記複数の宿泊施設に関する情報は上記提供宿泊施設に関する情報及び上記使用宿泊施設に関する情報を含む、宿泊施設共有サービス提供方法。
【請求項３２】
第30項において、
上記制御部は上記複数のメンバーIDのそれぞれによって識別されるクライアントで上記該当提供に対する開房日時ペナルティー金額及び上記該当使用宿泊施設に対する廢房日時ペナルティー金額を上記事業者によって指定された口座まで入金せよと案内する案内メッセージを上記通信部を通じて送信するようにさらに構成される、ウェブサーバー。
【請求項３３】
第30項において、
上記制御部は上記特定メンバーIDによって識別されるクライアントから上記該当使用宿泊施設が上記該当使用宿泊施設の開房日時から開房されている事を知らせる通知メッセージを上記該当使用宿泊施設の開房日時から先定された時間内に上記通信部を通じて受信出来ず上記事業者端末から上記特定メンバーIDを識別する識別情報を含むメッセージを上記通信部を通じて受信したり上記特定メンバーIDによって識別されるクライアントから上記事業者識別情報を含むメッセージを上記通信部を通じて受信する場合、上記特定メンバーIDと関連した上記口座まで上記該当使用宿泊施設に対する開房日時ペナルティー金額がオンライン入金されるようにさらに構成される、ウェブサーバー。
【請求項３４】
第30項において、
上記通信部は、上記複数のメンバーIDによってそれぞれ識別される上記一部のクライアント達の内、少なくとも一つから上記該当提供に対する廢房日時ペナルティー金額に関する情報を含むメッセージを受信するようにさらに構成される、ウェブサーバー。
【請求項３５】
第34項において、
上記通信部は、上記複数のメンバーIDによってそれぞれ識別される上記一部のクライアント達の内、少なくとも一つから上記該当提供に対する開房日時ペナルティー金額に関する情報を含むメッセージを受信するようにさらに構成される、ウェブサーバー。
【請求項３６】
第34項または第35項において、
上記制御部は上記複数のメンバーIDによってそれぞれ識別される上記一部のクライアント達のそれぞれが上記該当提供宿泊施設から先定された距離内に位置する少なくとも一つの近くの宿泊施設の宿泊料に関する情報を上記通信部を通じて提供するようにさらに構成される、ウェブサーバー。
【請求項３７】
第30項において、
上記特定メンバーIDを識別する識別情報は、上記特定メンバーIDを識別するパスワード、指紋情報、血管情報、虹彩情報、網膜情報、音声情報、画像情報、署名情報、テキスト情報、音情報及び上記パスワード、上記指紋情報、上記血管情報、上記虹彩情報、上記網膜情報、上記音声情報、上記画像情報、上記署名情報、上記テキスト情報、または上記音情報を暗号化した情報の内、いずれか一つのウェブサーバー。
【請求項３８】
第30項において、
上記宿泊施設共有候補グループは１次宿泊施設共有のための１次宿泊候補グループから３次宿泊施設共有のための３次宿泊候補グループの内、いずれか一つのウェブサーバー。
【請求項３９】
宿泊施設共有サービス提供のためのウェブサーバーとして、
複数の宿泊施設に関する情報を保存するデータベース部、
複数のクライアントからそれぞれ宿泊施設使用申し込みを受信するように構成された通信部-上記宿泊施設申し込みのそれぞれは上記複数の宿泊施設の内、少なくとも一つを指定する情報を含む。及び
上記データベース部連動され、上記宿泊施設申し込みに基づいて宿泊施設共有候補グループを構成するように構成された制御部-上記宿泊施設共有候補グループはグループID(Identification)によって識別され、上記グループIDは複数のメンバーIDと関連していて上記複数のメンバーIDは上記複数のクライアントの内一部のクライアントを識別する。を含めて、
上記データベース部は上記複数のメンバーIDのそれぞれと関連したメンバー情報をさらに保存し、上記複数のメンバーIDのそれぞれと関連した上記メンバー情報は提供宿泊施設の開房日時、上記提供宿泊施設の廢房日時、使用宿泊施設の開房日時、上記使用宿泊施設の廢房日時、上記提供宿泊施設に対する開房日時ペナルティー金額、上記提供宿泊施設に対する廢房日時ペナルティー金額、上記使用宿泊施設に対する開房日時ペナルティー金額及び上記使用宿泊施設に対する廢房日時ペナルティー金額に関する情報を含めて上記複数のメンバーIDのそれぞれと関連した上記メンバー情報は上記該当メンバーIDと関連した口座に関する情報をさらに含めて、
上記制御部は上記複数のメンバーIDのそれぞれに対して上記該当提供に対する廢房日時ペナルティー金額及び上記該当使用宿泊施設に対する開房日時ペナルティー金額が事業者によって指定された口座まで預けされたことをオンラインで確認することに応答して上記宿泊施設共有候補グループを宿泊施設共有グループに確定するようにさらに構成され、
上記制御部は上記確定された宿泊施設共有グループの上記グループIDと関連した特定メンバーIDによって識別されるクライアントから上記該当使用宿泊施設が開房されている事を知らせる通知メッセージを上記該当使用宿泊施設の開房日時から先定された時間内に上記通信部を通じて受信出来ず上記事業者端末から上記特定メンバーIDを識別する識別情報を含むメッセージを上記通信部を通じて受信したり上記特定メンバーIDによって識別されるクライアントから事業者識別情報を含むメッセージを上記通信部を通じて受信する場合、上記特定メンバーIDと関連した上記口座まで上記該当使用宿泊施設に対する開房日時ペナルティー金額がオンライン入金されるようにさらに構成される、ウェブサーバー。
【請求項４０】
第39項において、
上記使用宿泊施設は上記複数のメンバーIDの内、いずれか一つのメンバーIDによって識別されるクライアントによって提供される宿泊施設であり、
上記複数の宿泊施設に関する情報は上記提供宿泊施設に関する情報及び上記使用宿泊施設に関する情報を含む、宿泊施設共有サービス提供方法。
【請求項４１】
第39項において、
上記制御部は上記複数のメンバーIDのそれぞれによって識別されるクライアントに上記該当提供に対する開房日時ペナルティー金額及び上記該当使用宿泊施設に対する廢房日時ペナルティー金額を上記事業者によって指定された口座まで入金せよと案内する案内メッセージを上記通信部を通じて送信するようにさらに構成される、ウェブサーバー。
【請求項４２】
第39項において、
上記制御部は、上記特定メンバーIDによって識別されるクライアントから上記該当提供宿泊施設が上記該当提供宿泊施設の廢房日時から廢房されている事を知らせる通知メッセージを上記該当提供宿泊施設の廢房日時から先定された時間内に上記通信部を通じて受信出来ず上記事業者端末から上記特定メンバーIDを識別する識別情報を含むメッセージを上記通信部を通じて受信したり上記特定メンバーIDによって識別されるクライアントから上記事業者識別情報を含むメッセージを上記通信部を通じて受信する場合、上記特定メンバーIDと関連した上記口座まで上記該当提供に対する廢房日時ペナルティー金額がオンライン入金されるようにさらに構成される、ウェブサーバー。
【請求項４３】
第39項において、
上記通信部は上記複数のメンバーIDによってそれぞれ識別される上記一部のクライアント達の内、少なくとも一つから上記該当提供に対する廢房日時ペナルティー金額に関する情報を含むメッセージを受信するようにさらに構成される、ウェブサーバー。
【請求項４４】
第43項において、
上記通信部は、上記複数のメンバーIDによってそれぞれ識別される上記一部のクライアント達の内、少なくとも一つから上記該当提供に対する開房日時ペナルティー金額に関する情報を含むメッセージを受信するようにさらに構成される、ウェブサーバー。
【請求項４５】
第43項または第44項において、
上記制御部は上記複数のメンバーIDによってそれぞれ識別される上記一部のクライアント達のそれぞれが上記該当提供宿泊施設から先定された距離内に位置する少なくとも一つの近くの宿泊施設の宿泊料に関する情報を上記通信部を通じて提供するようにさらに構成される、ウェブサーバー。
【請求項４６】
第39項において、
上記特定メンバーIDを識別する識別情報は、上記特定メンバーIDを識別するパスワード、指紋情報、血管情報、虹彩情報、網膜情報、音声情報、画像情報、署名情報、テキスト情報、音情報及び上記パスワード、上記指紋情報、上記血管情報、上記虹彩情報、上記網膜情報、上記音声情報、上記画像情報、上記署名情報、上記テキスト情報、または上記音情報を暗号化した情報の内いずれか一つの、ウェブサーバー。
【請求項４７】
第38項において、
上記宿泊施設共有候補グループは１次宿泊施設共有のための１次宿泊候補グループから３次宿泊施設共有のための３次宿泊候補グループの内いずれか一つの、ウェブサーバー。
【請求項４８】
宿泊施設共有サービス提供のためのウェブサーバーとして、
複数の宿泊施設に関する情報を保存するデータベース部、
複数のクライアントからそれぞれ宿泊施設使用申し込みを受信するように構成された通信部-上記宿泊施設申し込みのそれぞれは上記複数の宿泊施設の内、少なくとも一つを指定する情報を含む。及び
上記データベース部と連動され、上記宿泊施設申し込みに基づいて宿泊施設共有候補グループを構成するように構成された制御部-上記宿泊施設共有候補グループはグループID(Identification)によって識別され、上記グループIDは複数のメンバーIDと関連していて上記複数のメンバーIDは上記複数のクライアントの内、一部のクライアントを識別する。を含めて、
上記データベース部は上記複数のメンバーIDのそれぞれと関連したメンバー情報をさらに保存し、上記複数のメンバーIDのそれぞれと関連した上記メンバー情報は提供宿泊施設に対する設備瑕疵ペナルティー金額、使用宿泊施設に対する設備瑕疵ペナルティー金額及び上記該当メンバーIDと関連した口座に関する情報を含めて、
上記制御部は上記複数のメンバーIDのそれぞれに対して上記該当使用宿泊施設に対する設備瑕疵ペナルティー金額が事業者によって指定された口座まで預けされたことをオンラインで確認することに応答して上記宿泊施設共有候補グループを宿泊施設共有グループに確定するようさらに構成され、
上記制御部は上記確定された宿泊施設共有グループの上記グループIDと関連した特定メンバーIDによって識別されるクライアントから上記該当使用宿泊施設に設備瑕疵があることを知らせる通知メッセージを上記通信部を通じて受信して上記事業者端末から上記特定メンバーIDを識別する識別情報を含むメッセージを上記通信部を通じて受信したり上記特定メンバーIDによって識別されるクライアントから事業者識別情報を含むメッセージを上記通信部を通じて受信する場合、上記特定メンバーIDと関連した上記口座まで上記該当使用宿泊施設に対する設備瑕疵ペナルティー金額がオンライン入金されるようにさらに構成される、ウェブサーバー。
【請求項４９】
第48項において、
上記使用宿泊施設は上記複数のメンバーIDの内、いずれか一つのメンバーIDによって識別されるクライアントによって提供される宿泊施設であり、
上記複数の宿泊施設に関する情報は上記提供宿泊施設に関する情報及び上記使用宿泊施設に関する情報を含む、宿泊施設共有サービス提供方法。
【請求項５０】
第48項において、
上記制御部は上記複数のメンバーIDのそれぞれによって識別されるクライアントに上記該当提供に対する設備瑕疵ペナルティー金額を上記事業者によって指定された口座まで入金せよと案内する案内メッセージを上記通信部を通じて送信するようにさらに構成される、ウェブサーバー。
【請求項５１】
第48項において、
上記通信部は、上記複数のメンバーIDによってそれぞれ識別される上記一部のクライアント達の内、少なくとも一つから上記該当提供に対する設備瑕疵ペナルティー金額に関する情報を含むメッセージを受信するようにさらに構成される、ウェブサーバー。
【請求項５２】
第51項において、
上記制御部は上記複数のメンバーIDによってそれぞれ識別される上記一部のクライアント達のそれぞれが上記該当提供宿泊施設から先定された距離内に位置する少なくとも一つの近くの宿泊施設の宿泊料に関する情報を上記通信部を通じて提供するようにさらに構成される、ウェブサーバー。
【請求項５３】
第48項において、
上記特定メンバーIDを識別する識別情報は、上記特定メンバーIDを識別するパスワード、指紋情報、血管情報、虹彩情報、網膜情報、音声情報、画像情報、署名情報、テキスト情報、音情報及び上記パスワード、上記指紋情報、上記血管情報、上記虹彩情報、上記網膜情報、上記音声情報、上記画像情報、上記署名情報、上記テキスト情報、または上記音情報を暗号化した情報の内いずれか一つの、ウェブサーバー。
【請求項５４】
第48項において、
上記宿泊施設共有候補グループは１次宿泊施設共有のための１次宿泊候補グループから３次宿泊施設共有のための３次宿泊候補グループの内いずれか一つの、ウェブサーバー。
【請求項５５】
ウェブプラットフォームベースの宿泊施設共サービス提供方法として、
複数のクライアントからの宿泊施設申し込みに基づいて宿泊施設共有候補グループを構成する段階-上記宿泊施設共有候補グループはグループIDによって識別され、上記グループIDは複数のメンバーIDと関連していて上記複数のメンバーIDは上記複数のクライアントの内、一部のクライアントを識別する。及び
上記複数のメンバーIDのそれぞれと関連したメンバー情報を構成する段階を含めて、
上記複数のメンバーIDのそれぞれと関連した上記メンバー情報は提供宿泊施設に対する開房日時ペナルティー金額、使用宿泊施設に対する開房日時ペナルティー金額、及び上記該当メンバーIDと関連した口座に関する情報を含めて、
上記方法は
上記複数のメンバーIDのそれぞれに対して上記該当提供に対する開房日時ペナルティー金額が事業者によって指定された口座まで預けされたことをオンラインで確認することに応答して上記宿泊施設共有候補グループを宿泊施設共有グループに確定する段階、及び
上記確定された宿泊施設共有グループの上記グループIDと関連した上記複数のメンバーIDのそれぞれによって識別されるクライアントからの上記該当使用宿泊施設に対する開房日時ペナルティー金額の支給申し込みを受信することに応答して上記支給申し込みに基づいて上記該当メンバーIDと関連した上記口座まで上記該当使用宿泊施設に対する開房日時ペナルティー金額がオンライン入金されるようにする段階をさらに含む宿泊施設共有サービス提供方法。
【発明の詳細な説明】
【技術分野】
【０００１】
本発明はウェブサイトを利用するビジネス方法に関するものんで、特に宿泊施設をお互い共有出来るようにしてあげる宿泊施設共有サービスを提供する技術に関することである。
【背景技術】
【０００２】
20世紀初ガソリン機関を利用した飛行機が開発された以来、航空輸送技術がますます発展を重ねた結果、今は全世界が一日生活圏の範囲に入ってくるようになった。これにより、過去長距離移動が容易でなかった時代やスペースの制約が克服されることによって、大陸から大陸に長距離移動をすることが人々の日常生活の一部を占めるようになった。ところが、海外または非常に遠い距離にある（つまり、出発地が属している地域の地球の経度を基準から非常に遠い距離の地球経度に位置している）特定の地域を訪問する場合、その地域でどのくらい滞在するかと関係なく、その地域に移動するために支払う航空運賃など移動にかかる一切の費用は、同じ交通手段を利用する限り、ほぼ同じであるため、宿泊料に対する負担さえなければ、海外または非常に遠い距離にある特定の地域を訪れる人々は、その地域で長期間滞在することを好むだと言える。
【０００３】
しかし宿泊期間が長くなるによって宿泊施設に対する宿泊料は比例して増加し、また宿泊料金が旅行の費用の旅行費用の中で大きな比重を占めるという結果になるため、旅行者にとって宿泊料は大きな負担になるしかない。最近では、このような負担を軽減させる基の手段として、宿泊業者が提供する部屋でなく、普通の人々が持っている住宅のような宿泊施設を、ある程度安い料金は出して借りて使用したり、をお互い交換して使用できる営業方法が出現している。このような方法を利用すれば、従来の宿泊業者が提供する部屋を使用するよりも、割と安価な宿泊料で宿泊施設を利用できるという利点がありえるが、この方式は宿泊施設をお互い共有させることによって宿泊料の負担を軽減させる手段にはならない実情である。
【発明の概要】
【発明が解決しようとする課題】
【０００４】
本発明の課題は旅行者達の間に宿泊施設をお互い共有させる事によって旅行者達に宿泊料に対する負担を軽減できる宿泊施設共有サービス提供方法及びそのためのウェブサーバーを提供することである。
【０００５】
本発明の別の課題は約定された日時に宿泊施設を提供されたり変換できるようにしてくれる安全装置が設けられた宿泊施設共有サービス提供方法及びそのためのウェブサーバーを提供することである。
【０００６】
本発明が解決しようとする課題は以上で述べた課題に制限されず、記載されていない別の課題達は以下の記載から当業者に明確に理解できるはずである。
【課題を解決するための手段】
【０００７】
一側面において、ウェブプラットフォームベースの宿泊施設共有サービス提供方法が提供される。本方法は、(i)複数の宿泊施設に関する情報を保存するデータベースを準備する段階(ii)複数のクライアントからそれぞれ宿泊施設使用申し込みを受信する段階-上記宿泊施設申し込みのそれぞれは上記複数の宿泊施設の内、少なくとも一つを指定する情報を含む。-、(iii)上記宿泊施設使用申し込みに基づいて宿泊施設共有候補グループを構成する段階-上記宿泊施設共有候補グループはグループID(Identification)によって識別され、上記グループIDは複数のメンバーIDと関連していて上記複数のメンバーIDは上記複数のクライアントの内一部のクライアントを識別し、上記宿泊施設共有候補グループを構成する段階は上記複数のメンバーIDのそれぞれと関連したメンバー情報を保存する段階を含めて、上記複数のメンバーIDのそれぞれと関連した上記メンバー情報は提供宿泊施設の開房日時、上記提供宿泊施設の廢房日時、使用宿泊施設の開房日時、上記使用宿泊施設の廢房日時、上記提供宿泊施設に対する開房日時ペナルティー(penalty)金額、上記提供宿泊施設に対する廢房日時ペナルティー金額、上記使用宿泊施設に対する開房日時ペナルティー金額及び上記使用宿泊施設に対する廢房日時ペナルティー金額に関する情報を含めて上記複数のメンバーIDのそれぞれと関連した上記メンバー情報は上記該当メンバーIDと関連した口座に関する情報をさらに含む。-、(iv)上記複数のメンバーIDのそれぞれに対して上記該当提供に対する廢房日時ペナルティー金額及び上記該当使用宿泊施設に対する開房日時ペナルティー金額が事業者によって指定された口座まで預けされたことをオンラインで確認することに応答して上記宿泊施設共有候補グループを宿泊施設共有グループに確定する段階、及び(v)上記確定された宿泊施設共有グループの上記グループIDと関連した特定メンバーIDによって識別されるクライアントから上記該当提供宿泊施設が廢房されている事を知らせる通知メッセージを上記該当提供宿泊施設の廢房日時から先定された時間内に受信出来ず上記事業者端末から上記特定メンバーIDを識別する識別情報を含むメッセージを受信したり上記特定メンバーIDによって識別されるクライアントから事業者識別情報を含むメッセージを受信する場合、上記特定メンバーIDと関連した上記口座まで上記該当提供に対する廢房日時ペナルティー金額がオンライン入金されるようにする段階を含むことが出来る。
【０００８】
一実施例において、上記該当提供に対する廢房日時ペナルティー金額がオンライン入金されるようにする段階は上記確定された宿泊施設共有グループの上記グループIDと関連した特定メンバーIDによって識別されるクライアントから上記通知メッセージを上記該当提供宿泊施設の廢房日時から上記先定された時間内に受信出来ない場合、上記事業者端末まで上記該当提供宿泊施設まで出動せよという出動命令メッセージを送信する段階を含むことが出来る。.
【０００９】
一実施例において、上記使用宿泊施設は上記複数のメンバーIDの内、いずれか一つのメンバーIDによって識別されるクライアントによって提供される宿泊施設であり、上記複数の宿泊施設に関する情報は上記提供宿泊施設に関する情報及び上記使用宿泊施設に関する情報を含む事が出来る。
【００１０】
一実施例において、上記方法は、(iii-1)上記複数のメンバーIDのそれぞれによって識別されるクライアントに上記該当提供に対する開房日時ペナルティー金額及び上記該当使用宿泊施設に対する廢房日時ペナルティー金額を上記事業者によって指定された口座まで入金せよと案内する案内メッセージを送信する段階をさらに含める事が出来る。
【００１１】
一実施例において、本方法は、(vi)上記特定メンバーIDによって識別されるクライアントから上記該当使用宿泊施設が上記該当使用宿泊施設の開房日時から開房されている事を知らせる通知メッセージを上記該当使用宿泊施設の開房日時から先定された時間内に受信出来ず上記事業者端末から上記特定メンバーIDを識別する識別情報を含むメッセージを受信したり上記特定メンバーIDによって識別されるクライアントから上記事業者識別情報を含むメッセージを受信する場合、上記特定メンバーIDと関連した上記口座まで上記該当使用宿泊施設に対する開房日時ペナルティー金額がオンライン入金されるようにする段階をさらに含める事が出来る。.
【００１２】
一実施例において、上記段階(iii)は、上記複数のメンバーIDによってそれぞれ識別される上記一部のクライアント達の内、少なくとも一つから上記該当提供に対する廢房日時ペナルティー金額に関する情報を入力させてもらう段階をさらに含める事が出来る。
【００１３】
一実施例において、上記段階(iii)は、上記複数のメンバーIDによってそれぞれ識別される上記一部のクライアント達の内、少なくとも一つから上記該当提供に対する開房日時ペナルティー金額に関する情報を入力させてもらう段階をさらに含める事が出来る。
【００１４】
一実施例において、上記複数のメンバーIDによってそれぞれ識別される上記一部のクライアント達のそれぞれから上記該当提供に対する廢房日時ペナルティー金額に関する情報を入力させてもらう段階は上記複数のメンバーIDによってそれぞれ識別される上記一部のクライアント達のそれぞれに上記該当提供宿泊施設から先定された距離内に位置する少なくとも一つの近くの宿泊施設の宿泊料に関する情報を提供する段階を含むことが出来る。
【００１５】
一実施例において、上記複数のメンバーIDによってそれぞれ識別される上記一部のクライアント達のそれぞれから上記該当提供に対する開房日時ペナルティー金額に関する情報を入力させてもらう段階は上記複数のメンバーIDによってそれぞれ識別される上記一部のクライアント達のそれぞれに上記該当提供宿泊施設から先定された距離内に位置する少なくとも一つの近くの宿泊施設の宿泊料に関する情報を提供する段階を含むことが出来る。
【００１６】
一実施例において、上記特定メンバーIDを識別する識別情報は、上記特定メンバーIDを識別するパスワード、指紋情報、血管情報、虹彩情報、網膜情報、音声情報、画像情報、署名情報、テキスト情報、音情報及び上記パスワード、上記指紋情報、上記血管情報、上記虹彩情報、上記網膜情報、上記音声情報、上記画像情報、上記署名情報、上記テキスト情報、または上記音情報を暗号化した情報の内、いずれか一つでありえる。
【００１７】
一実施例において、上記宿泊施設共有候補グループは１次宿泊施設共有のための１次宿泊候補グループから３次宿泊施設共有のための３次宿泊候補グループの内いずれか一つでありえる。
【００１８】
別の側面から、ウェブプラットフォームベースの宿泊施設共有サービス提供方法が提供される。本方法は、(i)複数の宿泊施設に関する情報を保存するデータベースを準備する段階(ii)複数のクライアントからそれぞれ宿泊施設使用申し込みを受信する段階-上記宿泊施設申し込みのそれぞれは上記複数の宿泊施設の内少なくとも一つを指定する情報を含む。-、(iii)上記宿泊施設申し込みに基づいて宿泊施設共有候補グループを構成する段階-上記宿泊施設共有候補グループはグループID(Identification)によって識別され、上記グループIDは複数のメンバーIDと関連していて上記複数のメンバーIDは上記複数のクライアントの内一部のクライアントを識別し、上記宿泊施設共有候補グループを構成する段階は上記複数のメンバーIDのそれぞれと関連したメンバー情報を保存する段階を含めて、上記複数のメンバーIDのそれぞれと関連した上記メンバー情報は提供宿泊施設の開房日時、上記提供宿泊施設の廢房日時、使用宿泊施設の開房日時、上記使用宿泊施設の廢房日時、上記提供宿泊施設に対する開房日時ペナルティー金額、上記提供宿泊施設に対する廢房日時ペナルティー金額、上記使用宿泊施設に対する開房日時ペナルティー金額及び上記使用宿泊施設に対する廢房日時ペナルティー金額に関する情報を含めて上記複数のメンバーIDのそれぞれと関連した上記メンバー情報は上記該当メンバーIDと関連した口座に関する情報をさらに含む。-、(iv)上記複数のメンバーIDのそれぞれに対して上記該当提供に対する廢房日時ペナルティー金額及び上記該当使用宿泊施設に対する開房日時ペナルティー金額が事業者によって指定された口座まで預けされたことをオンラインで確認することに応答して上記宿泊施設共有候補グループを宿泊施設共有グループに確定する段階、及び(v)上記確定された宿泊施設共有グループの上記グループIDと関連した特定メンバーIDによって識別されるクライアントから上記該当使用宿泊施設が開房されている事を知らせる通知メッセージを上記該当使用宿泊施設の開房日時から先定された時間内に受信出来ず上記事業者端末から上記特定メンバーIDを識別する識別情報を含むメッセージを受信したり上記特定メンバーIDによって識別されるクライアントから事業者識別情報を含むメッセージを受信する場合、上記特定メンバーIDと関連した上記口座まで上記該当使用宿泊施設に対する開房日時ペナルティー金額がオンライン入金されるようにする段階を含むことが出来る。
【００１９】
一実施例において、上記該当使用宿泊施設に対する開房日時ペナルティー金額がオンライン入金されるようにする段階は上記確定された宿泊施設共有グループの上記グループIDと関連した特定メンバーIDによって識別されるクライアントから上記通知メッセージを上記該当使用宿泊施設の開房日時から上記先定された時間内に受信出来ない場合、上記事業者端末まで上記該当使用宿泊施設まで出動せよという出動命令メッセージを送信する段階を含むことが出来る。
【００２０】
一実施例において、上記使用宿泊施設は上記複数のメンバーIDの内いずれか一つのメンバーIDによって識別されるクライアントによって提供される宿泊施設であり、上記複数の宿泊施設に関する情報は上記提供宿泊施設に関する情報及び上記使用宿泊施設に関する情報を含む事が出来る。
【００２１】
一実施例において、本方法は、(iii-1)上記複数のメンバーIDのそれぞれによって識別されるクライアントに上記該当提供に対する開房日時ペナルティー金額及び上記該当使用宿泊施設に対する廢房日時ペナルティー金額を上記事業者によって指定された口座まで入金せよと案内する案内メッセージを送信する段階をさらに含める事が出来る。
【００２２】
一実施例において、本方法は、(vi)上記特定メンバーIDによって識別されるクライアントから上記該当提供宿泊施設が上記該当提供宿泊施設の廢房日時から廢房されている事を知らせる通知メッセージを上記該当提供宿泊施設の廢房日時から先定された時間内に受信出来ず上記事業者端末から上記特定メンバーIDを識別する識別情報を含むメッセージを受信したり上記特定メンバーIDによって識別されるクライアントから上記事業者識別情報を含むメッセージを受信する場合、上記特定メンバーIDと関連した上記口座まで上記該当提供に対する廢房日時ペナルティー金額がオンライン入金されるようにする段階をさらに含める事が出来る。
【００２３】
一実施例において、上記段階(iii)は、上記複数のメンバーIDによってそれぞれ識別される上記一部のクライアント達の内、少なくとも一つから上記該当提供に対する廢房日時ペナルティー金額に関する情報を入力させてもらう段階をさらに含める事が出来る。
【００２４】
一実施例において、上記段階(iii)は、上記複数のメンバーIDによってそれぞれ識別される上記一部のクライアント達の内、少なくとも一つから上記該当提供に対する開房日時ペナルティー金額に関する情報を入力させてもらう段階をさらに含める事が出来る。
【００２５】
一実施例において、上記複数のメンバーIDによってそれぞれ識別される上記一部のクライアント達のそれぞれから上記該当提供に対する廢房日時ペナルティー金額に関する情報を入力させてもらう段階は上記複数のメンバーIDによってそれぞれ識別される上記一部のクライアント達のそれぞれに上記該当提供宿泊施設から先定された距離内に位置する少なくとも一つの近くの宿泊施設の宿泊料に関する情報を提供する段階を含むことが出来る。
【００２６】
一実施例において、上記複数のメンバーIDによってそれぞれ識別される上記一部のクライアント達のそれぞれから上記該当提供に対する開房日時ペナルティー金額に関する情報を入力させてもらう段階は上記複数のメンバーIDによってそれぞれ識別される上記一部のクライアント達のそれぞれに上記該当提供宿泊施設から先定された距離内に位置する少なくとも一つの近くの宿泊施設の宿泊料に関する情報を提供する段階を含むことが出来る。
【００２７】
一実施例において、上記特定メンバーIDを識別する識別情報は、上記特定メンバーIDを識別するパスワード、指紋情報、血管情報、虹彩情報、網膜情報、音声情報、画像情報、署名情報、テキスト情報、音情報及び上記パスワード、上記指紋情報、上記血管情報、上記虹彩情報、上記網膜情報、上記音声情報、上記画像情報、上記署名情報、上記テキスト情報、または上記音情報を暗号化した情報の内いずれか一つでありえる。
【００２８】
一実施例において、上記宿泊施設共有候補グループは１次宿泊施設共有のための１次宿泊候補グループから３次宿泊施設共有のための３次宿泊候補グループの内いずれか一つでありえる。
【００２９】
さらに別の側面から、ウェブプラットフォームベースの宿泊施設共有サービス提供方法が提供される。本方法は、(i)複数の宿泊施設に関する情報を保存するデータベースを準備する段階(ii)複数のクライアントからそれぞれ宿泊施設使用申し込みを受信する段階-上記宿泊施設申し込みのそれぞれは上記複数の宿泊施設の内、少なくとも一つを指定する情報を含む。-、(iii)上記宿泊施設申し込みに基づいて宿泊施設共有候補グループを構成する段階-上記宿泊施設共有候補グループはグループID(Identification)によって識別され、上記グループIDは複数のメンバーIDと関連していて上記複数のメンバーIDは上記複数のクライアントの内一部のクライアントを識別し、上記宿泊施設共有候補グループを構成する段階は上記複数のメンバーIDのそれぞれと関連したメンバー情報を保存する段階を含めて、上記複数のメンバーIDのそれぞれと関連した上記メンバー情報は提供宿泊施設に対する設備瑕疵ペナルティー金額、使用宿泊施設に対する設備瑕疵ペナルティー金額及び上記該当メンバーIDと関連した口座に関する情報を含む。-、(iv)上記複数のメンバーIDのそれぞれに対して上記該当使用宿泊施設に対する設備瑕疵ペナルティー金額が事業者によって指定された口座まで預けされたことをオンラインで確認することに応答して上記宿泊施設共有候補グループを宿泊施設共有グループに確定する段階及び(v)上記確定された宿泊施設共有グループの上記グループIDと関連した特定メンバーIDによって識別されるクライアントから上記該当使用宿泊施設に設備瑕疵があることを知らせる通知メッセージを受信して上記事業者端末から上記特定メンバーIDを識別する識別情報を含むメッセージを受信したり上記特定メンバーIDによって識別されるクライアントから事業者識別情報を含むメッセージを受信する場合、上記特定メンバーIDと関連した上記口座まで上記該当使用宿泊施設に対する設備瑕疵ペナルティー金額がオンライン入金されるようにする段階を含むことが出来る。
【００３０】
一実施例において、上記使用宿泊施設は上記複数のメンバーIDの内いずれか一つのメンバーIDによって識別されるクライアントによって提供される宿泊施設であり、上記複数の宿泊施設に関する情報は上記提供宿泊施設に関する情報及び上記使用宿泊施設に関する情報を含む事が出来る。
【００３１】
一実施例において、本方法は、(iii-1)上記複数のメンバーIDのそれぞれによって識別されるクライアントが上記該当提供に対する設備瑕疵ペナルティー金額を上記事業者によって指定された口座まで入金せよと案内する案内メッセージを送信する段階をさらに含める事が出来る。
【００３２】
一実施例において、上記段階(iii)は、上記複数のメンバーIDによってそれぞれ識別される上記一部のクライアント達の内、少なくとも一つから上記該当提供に対する設備瑕疵ペナルティー金額に関する情報を入力させてもらう段階をさらに含める事が出来る。
【００３３】
一実施例において、上記複数のメンバーIDによってそれぞれ識別される上記一部のクライアント達のそれぞれから上記該当提供に対する設備瑕疵ペナルティー金額に関する情報を入力させてもらう段階は上記複数のメンバーIDによってそれぞれ識別される上記一部のクライアント達のそれぞれに上記該当提供宿泊施設から先定された距離内に位置する少なくとも一つの近くの宿泊施設の宿泊料に関する情報を提供する段階を含むことが出来る。
【００３４】
一実施例において、上記特定メンバーIDを識別する識別情報は、上記特定メンバーIDを識別するパスワード、指紋情報、血管情報、虹彩情報、網膜情報、音声情報、画像情報、署名情報、テキスト情報、音情報及び上記パスワード、上記指紋情報、上記血管情報、上記虹彩情報、上記網膜情報、上記音声情報、上記画像情報、上記署名情報、上記テキスト情報、または上記音情報を暗号化した情報の内、いずれか一つでありえる。
【００３５】
一実施例において、上記宿泊施設共有候補グループは１次宿泊施設共有のための１次宿泊候補グループから３次宿泊施設共有のための３次宿泊候補グループの内、いずれか一つでありえる。
【００３６】
さらに別の側面から、宿泊施設共有サービス提供のためのウェブサーバーが提供される。本ウェブサーバーは、複数の宿泊施設に関する情報を保存するデータベース部、複数のクライアントからそれぞれ宿泊施設使用申し込みを受信するように構成された通信部-上記宿泊施設申し込みのそれぞれは上記複数の宿泊施設の内少なくとも一つを指定する情報を含む。-、及び上記データベース部と連動され、上記宿泊施設申し込みに基づいて宿泊施設共有候補グループを構成するように構成された制御部-上記宿泊施設共有候補グループはグループIDによって識別され、上記グループIDは複数のメンバーIDと関連していて上記複数のメンバーIDは上記複数のクライアントの内一部のクライアントを識別する。-を含むことが出来る。ここで上記データベース部は上記複数のメンバーIDのそれぞれと関連したメンバー情報をさらに保存し、上記複数のメンバーIDのそれぞれと関連した上記メンバー情報は提供宿泊施設の開房日時、上記提供宿泊施設の廢房日時、使用宿泊施設の開房日時、上記使用宿泊施設の廢房日時、上記提供宿泊施設に対する開房日時ペナルティー金額、上記提供宿泊施設に対する廢房日時ペナルティー金額、上記使用宿泊施設に対する開房日時ペナルティー金額及び上記使用宿泊施設に対する廢房日時ペナルティー金額に関する情報を含めて上記複数のメンバーIDのそれぞれと関連した上記メンバー情報は上記該当メンバーIDと関連した口座に関する情報をさらに含める事が出来る。上記制御部は上記複数のメンバーIDのそれぞれに対して上記該当提供に対する廢房日時ペナルティー金額及び上記該当使用宿泊施設に対する開房日時ペナルティー金額が事業者によって指定された口座まで預けされたことをオンラインで確認することに応答して上記宿泊施設共有候補グループを宿泊施設共有グループに確定するよう、さらに構成できる。上記制御部は上記確定された宿泊施設共有グループの上記グループIDと関連した特定メンバーIDによって識別されるクライアントから上記該当提供宿泊施設が廢房されている事を知らせる通知メッセージを上記該当提供宿泊施設の廢房日時から先定された時間内に上記通信部を通じて受信出来ず上記事業者端末から上記特定メンバーIDを識別する識別情報を含むメッセージを上記通信部を通じて受信したり上記特定メンバーIDによって識別されるクライアントから事業者識別情報を含むメッセージを上記通信部を通じて受信する場合、上記特定メンバーIDと関連した上記口座まで上記該当提供に対する廢房日時ペナルティー金額がオンライン入金されるようにさらに構成できる。
【００３７】
一実施例において、上記使用宿泊施設は上記複数のメンバーIDの内いずれか一つのメンバーIDによって識別されるクライアントによって提供される宿泊施設であり、上記複数の宿泊施設に関する情報は上記提供宿泊施設に関する情報及び上記使用宿泊施設に関する情報を含む事が出来る。
【００３８】
一実施例において、上記制御部は上記複数のメンバーIDのそれぞれによって識別されるクライアントに上記該当提供に対する開房日時ペナルティー金額及び上記該当使用宿泊施設に対する廢房日時ペナルティー金額を上記事業者によって指定された口座まで入金せよと案内する案内メッセージを上記通信部を通じて送信するようにさらに構成できる。
【００３９】
一実施例において、上記制御部は上記特定メンバーIDによって識別されるクライアントから上記該当使用宿泊施設が上記該当使用宿泊施設の開房日時から開房されている事を知らせる通知メッセージを上記該当使用宿泊施設の開房日時から先定された時間内に上記通信部を通じて受信出来ず上記事業者端末から上記特定メンバーIDを識別する識別情報を含むメッセージを上記通信部を通じて受信したり上記特定メンバーIDによって識別されるクライアントから上記事業者識別情報を含むメッセージを上記通信部を通じて受信する場合、上記特定メンバーIDと関連した上記口座まで上記該当使用宿泊施設に対する開房日時ペナルティー金額がオンライン入金されるようにさらに構成できる。
【００４０】
一実施例において、上記通信部は、上記複数のメンバーIDによってそれぞれ識別される上記一部のクライアント達の内、少なくとも一つから上記該当提供に対する廢房日時ペナルティー金額に関する情報を含むメッセージを受信するようにさらに構成できる。
【００４１】
一実施例において、上記通信部は、上記複数のメンバーIDによってそれぞれ識別される上記一部のクライアント達の内、少なくとも一つから上記該当提供に対する開房日時ペナルティー金額に関する情報を含むメッセージを受信するようにさらに構成できる。
【００４２】
一実施例において、上記制御部は上記複数のメンバーIDによってそれぞれ識別される上記一部のクライアント達のそれぞれが上記該当提供宿泊施設から先定された距離内に位置する少なくとも一つの近くの宿泊施設の宿泊料に関する情報を上記通信部を通じて提供するようにさらに構成できる。
【００４３】
一実施例において、上記特定メンバーIDを識別する識別情報は、上記特定メンバーIDを識別するパスワード、指紋情報、血管情報、虹彩情報、網膜情報、音声情報、画像情報、署名情報、テキスト情報、音情報及び上記パスワード、上記指紋情報、上記血管情報、上記虹彩情報、上記網膜情報、上記音声情報、上記画像情報、上記署名情報、上記テキスト情報、または上記音情報を暗号化した情報の内、いずれか一つでありえる。
【００４４】
一実施例において、上記宿泊施設共有候補グループは１次宿泊施設共有のための１次宿泊候補グループから３次宿泊施設共有のための３次宿泊候補グループの内いずれか一つでありえる。
【００４５】
さらに別の側面から、宿泊施設共有サービス提供のためのウェブサーバーが提供される。本ウェブサーバーは複数の宿泊施設に関する情報を保存するデータベース部、複数のクライアントからそれぞれ宿泊施設使用申し込みを受信するように構成された通信部-上記宿泊施設申し込みのそれぞれは上記複数の宿泊施設の内、少なくとも一つを指定する情報を含む。-、及び上記データベース部と連動され、上記宿泊施設申し込みに基づいて宿泊施設共有候補グループを構成するように構成された制御部-上記宿泊施設共有候補グループはグループID(Identification)によって識別され、上記グループIDは複数のメンバーIDと関連していて上記複数のメンバーIDは上記複数のクライアントの内、一部のクライアントを識別する。-を含むことが出来る。ここで上記データベース部は上記複数のメンバーIDのそれぞれと関連したメンバー情報をさらに保存し、上記複数のメンバーIDのそれぞれと関連した上記メンバー情報は提供宿泊施設の開房日時、上記提供宿泊施設の廢房日時、使用宿泊施設の開房日時、上記使用宿泊施設の廢房日時、上記提供宿泊施設に対する開房日時ペナルティー金額、上記提供宿泊施設に対する廢房日時ペナルティー金額、上記使用宿泊施設に対する開房日時ペナルティー金額及び上記使用宿泊施設に対する廢房日時ペナルティー金額に関する情報を含めて上記複数のメンバーIDのそれぞれと関連した上記メンバー情報は上記該当メンバーIDと関連した口座に関する情報をさらに含める事が出来る。上記制御部は上記複数のメンバーIDのそれぞれに対して上記該当提供に対する廢房日時ペナルティー金額及び上記該当使用宿泊施設に対する開房日時ペナルティー金額が事業者によって指定された口座まで預けされたことをオンラインで確認することに応答して上記宿泊施設共有候補グループを宿泊施設共有グループに確定するようさらに構成できる。上記制御部は上記確定された宿泊施設共有グループの上記グループIDと関連した特定メンバーIDによって識別されるクライアントから上記該当使用宿泊施設が開房されている事を知らせる通知メッセージを上記該当使用宿泊施設の開房日時から先定された時間内に上記通信部を通じて受信出来ず上記事業者端末から上記特定メンバーIDを識別する識別情報を含むメッセージを上記通信部を通じて受信したり上記特定メンバーIDによって識別されるクライアントから事業者識別情報を含むメッセージを上記通信部を通じて受信する場合、上記特定メンバーIDと関連した上記口座まで上記該当使用宿泊施設に対する開房日時ペナルティー金額がオンライン入金されるようにさらに構成できる。
【００４６】
一実施例において、上記使用宿泊施設は上記複数のメンバーIDの内いずれか一つのメンバーIDによって識別されるクライアントによって提供される宿泊施設であり、上記複数の宿泊施設に関する情報は上記提供宿泊施設に関する情報及び上記使用宿泊施設に関する情報を含む事が出来る。
【００４７】
一実施例において、上記制御部は上記複数のメンバーIDのそれぞれによって識別されるクライアントに上記該当提供に対する開房日時ペナルティー金額及び上記該当使用宿泊施設に対する廢房日時ペナルティー金額を上記事業者によって指定された口座まで入金せよと案内する案内メッセージを上記通信部を通じて送信するようにさらに構成できる。
【００４８】
一実施例において、上記制御部は上記特定メンバーIDによって識別されるクライアントから上記該当提供宿泊施設が上記該当提供宿泊施設の廢房日時から廢房されている事を知らせる通知メッセージを上記該当提供宿泊施設の廢房日時から先定された時間内に上記通信部を通じて受信出来ず上記事業者端末から上記特定メンバーIDを識別する識別情報を含むメッセージを上記通信部を通じて受信したり上記特定メンバーIDによって識別されるクライアントから上記事業者識別情報を含むメッセージを上記通信部を通じて受信する場合、上記特定メンバーIDと関連した上記口座まで上記該当提供に対する廢房日時ペナルティー金額がオンライン入金されるようにさらに構成できる。
【００４９】
一実施例において、上記通信部は、上記複数のメンバーIDによってそれぞれ識別される上記一部のクライアント達の内、少なくとも一つから上記該当提供に対する廢房日時ペナルティー金額に関する情報を含むメッセージを受信するようにさらに構成できる。
【００５０】
一実施例において、上記通信部は、上記複数のメンバーIDによってそれぞれ識別される上記一部のクライアント達の内、少なくとも一つから上記該当提供に対する開房日時ペナルティー金額に関する情報を含むメッセージを受信するようにさらに構成できる。
【００５１】
一実施例において、上記制御部は上記複数のメンバーIDによってそれぞれ識別される上記一部のクライアント達のそれぞれが上記該当提供宿泊施設から先定された距離内に位置する少なくとも一つの近くの宿泊施設の宿泊料に関する情報を上記通信部を通じて提供するようにさらに構成できる。
【００５２】
一実施例において、上記特定メンバーIDを識別する識別情報は、上記特定メンバーIDを識別するパスワード、指紋情報、血管情報、虹彩情報、網膜情報、音声情報、画像情報、署名情報、テキスト情報、音情報及び上記パスワード、上記指紋情報、上記血管情報、上記虹彩情報、上記網膜情報、上記音声情報、上記画像情報、上記署名情報、上記テキスト情報、または上記音情報を暗号化した情報の内いずれか一つでありえる。
【００５３】
一実施例において、上記宿泊施設共有候補グループは１次宿泊施設共有のための１次宿泊候補グループから３次宿泊施設共有のための３次宿泊候補グループの内いずれか一つでありえる。
【００５４】
さらに別の側面から、宿泊施設共有サービス提供のためのウェブサーバーが提供される。本ウェブサーバーは、複数の宿泊施設に関する情報を保存するデータベース部、複数のクライアントからそれぞれ宿泊施設使用申し込みを受信するように構成された通信部-上記宿泊施設申し込みのそれぞれは上記複数の宿泊施設の内、少なくとも一つを指定する情報を含む。-、及び上記データベース部と連動され、上記宿泊施設申し込みに基づいて宿泊施設共有候補グループを構成するように構成された制御部-上記宿泊施設共有候補グループはグループID(Identification)によって識別され、上記グループIDは複数のメンバーIDと関連していて上記複数のメンバーIDは上記複数のクライアントの内一部のクライアントを識別する。-を含むことが出来る。ここで上記データベース部は上記複数のメンバーIDのそれぞれと関連したメンバー情報をさらに保存し、上記複数のメンバーIDのそれぞれと関連した上記メンバー情報は提供宿泊施設に対する設備瑕疵ペナルティー金額、使用宿泊施設に対する設備瑕疵ペナルティー金額及び上記該当メンバーIDと関連した口座に関する情報を含む事が出来る。上記制御部は上記複数のメンバーIDのそれぞれに対して上記該当使用宿泊施設に対する設備瑕疵ペナルティー金額が事業者によって指定された口座まで預けされたことをオンラインで確認することに応答して上記宿泊施設共有候補グループを宿泊施設共有グループに確定するようさらに構成できる。上記制御部は上記確定された宿泊施設共有グループの上記グループIDと関連した特定メンバーIDによって識別されるクライアントから上記該当使用宿泊施設に設備瑕疵があることを知らせる通知メッセージを上記通信部を通じて受信して上記事業者端末から上記特定メンバーIDを識別する識別情報を含むメッセージを上記通信部を通じて受信したり上記特定メンバーIDによって識別されるクライアントから事業者識別情報を含むメッセージを上記通信部を通じて受信する場合、上記特定メンバーIDと関連した上記口座まで上記該当使用宿泊施設に対する設備瑕疵ペナルティー金額がオンライン入金されるようにさらに構成できる。
【００５５】
一実施例において、上記使用宿泊施設は上記複数のメンバーIDの内、いずれか一つのメンバーIDによって識別されるクライアントによって提供される宿泊施設であり、上記複数の宿泊施設に関する情報は上記提供宿泊施設に関する情報及び上記使用宿泊施設に関する情報を含む事が出来る。
【００５６】
一実施例において、上記制御部は上記複数のメンバーIDのそれぞれによって識別されるクライアントが上記該当提供に対する設備瑕疵ペナルティー金額を上記事業者によって指定された口座まで入金せよと案内する案内メッセージを上記通信部を通じて送信するようにさらに構成できる。
【００５７】
一実施例において、上記通信部は上記複数のメンバーIDによってそれぞれ識別される上記一部のクライアント達の内、少なくとも一つから上記該当提供に対する設備瑕疵ペナルティー金額に関する情報を含むメッセージを受信するようにさらに構成できる。
【００５８】
一実施例において、上記制御部は上記複数のメンバーIDによってそれぞれ識別される上記一部のクライアント達のそれぞれが上記該当提供宿泊施設から先定された距離ｖ内に位置する少なくとも一つの近くの宿泊施設の宿泊料に関する情報を上記通信部を通じて提供するようにさらに構成できる。
【００５９】
一実施例において、上記特定メンバーIDを識別する識別情報は、上記特定メンバーIDを識別するパスワード、指紋情報、血管情報、虹彩情報、網膜情報、音声情報、画像情報、署名情報、テキスト情報、音情報及び上記パスワード、上記指紋情報、上記血管情報、上記虹彩情報、上記網膜情報、上記音声情報、上記画像情報、上記署名情報、上記テキスト情報、または上記音情報を暗号化した情報の内、いずれか一つでありえる。
【００６０】
一実施例において、上記宿泊施設共有候補グループは１次宿泊施設共有のための１次宿泊候補グループから３次宿泊施設共有のための３次宿泊候補グループの内、いずれか一つでありえる。
【００６１】
さらに別の側面から、ウェブプラットフォームベースの宿泊施設共有サービス提供方法が提供される。本方法は、複数のクライアントからの宿泊施設申し込みに基づいて宿泊施設共有候補グループを構成する段階-上記宿泊施設共有候補グループはグループIDによって識別され、上記グループIDは複数のメンバーIDと関連していて上記複数のメンバーIDは上記複数のクライアントの内、一部のクライアントを識別する。-、及び上記複数のメンバーIDのそれぞれと関連したメンバー情報を構成する段階を含むことが出来る。ここで上記複数のメンバーIDのそれぞれと関連した上記メンバー情報は提供宿泊施設に対する開房日時ペナルティー金額、使用宿泊施設に対する開房日時ペナルティー金額、及び上記該当メンバーIDと関連した口座に関する情報を含む事が出来る。上記方法は、上記複数のメンバーIDのそれぞれに対して上記該当提供に対する開房日時ペナルティー金額が事業者によって指定された口座まで預けされたことをオンラインで確認することに応答して上記宿泊施設共有候補グループを宿泊施設共有グループに確定する段階、及び上記確定された宿泊施設共有グループの上記グループIDと関連した上記複数のメンバーIDのそれぞれによって識別されるクライアントからの上記該当使用宿泊施設に対する開房日時ペナルティー金額の支給申し込みを受信することに応答して上記支給申し込みに基づいて上記該当メンバーIDと関連した上記口座まで上記該当使用宿泊施設に対する開房日時ペナルティー金額がオンライン入金されるようにする段階をさらに含める事が出来る。
【発明の効果】
【００６２】
本発明の実施例によると、旅行者たち/宿泊施設提供者達の間に宿泊施設をお互い共有させる事によって旅行者達に宿泊料に対する負担を破格的に軽減できる技術的効果がある。
【図面の簡単な説明】
【００６３】
図１は本発明の一実施例に従う宿泊施設共有サービスを提供するためのウェブサーバーがクライアント達及び事業者端末と接続されるネットワークダイアグラムを図示した図面である。
【００６４】
図２は図１に図示されたウェブサーバーの構成の一実施例を図示したブロック図である。
【００６５】
図３は本発明の一実施例に従って宿泊施設共有候補グループを構成する例を説明するための図面である。
【００６６】
図４は本発明の一実施例に従って宿泊施設共有候補グループを構成する別の例を説明するための図面である。
【００６７】
図５は本発明の一実施例に従って宿泊施設共有候補グループを構成するさらに別の例を説明するための図面である。
【００６８】
図６は本発明に従ってウェブプラットフォームベースの宿泊施設共有サービスを提供する方法において宿泊施設共有グループを確定を確定する手続きを説明するためのフローチャートの一実施例を図示した図面である。
【００６９】
図７は本発明に従ってウェブプラットフォームベースの宿泊施設共有サービスを提供する方法において提供宿泊施設が決まった廢房日時■廢房されてない場合、提供宿泊施設に対する廢房日時ペナルティー金額を支給する手続きを説明するためのフローチャートの一実施例を図示した図面である。
【００７０】
図８は本発明に従ってウェブプラットフォームベースの宿泊施設共有サービスを提供する方法において使用宿泊施設が決まった開房日時に開房されてない場合、使用宿泊施設に対する開房日時ペナルティー金額を支給する手続きを説明するためのフローチャートの一実施例を図示した図面である。
【００７１】
図９は本発明に従ってウェブプラットフォームベースの宿泊施設共有サービスを提供する方法において使用宿泊施設に設備瑕疵がある場合、使用宿泊施設に対する設備瑕疵ペナルティー金額を支給する手続きを説明するためのフローチャートの一実施例を図示した図面である。
【発明を実施するための形態】
【００７２】
本発明の利点や特徴、そしてそれらを達成する方法は添付される図面と一緒に詳細に後述されている実施例を参照すると明確になるはずである。しかし本発明は以下で開始される実施例たちに限定されず、お互い別の多様な形に具現されるはずであり、本実施例たちは単に本発明の開始が完全になるようにして本発明が属する技術分野で通商の知識を持った人に発明の範疇を完全に知らせるために提供されることであって、本発明は請求項の範疇によって定義づけられるだけである。
【００７３】
本明細書で使用される用語はただ特定な実施例を説明するために使用されることであり、本発明を限定しようとする意図から使用されたわけではない。例えば、単数で表現された構成要素は文脈で明白に単数だけを意味しなければ複数の構成要素を含む概念として理解されるべきである。また、本発明の明細書で、「含む」または「持つ」などの用語は明細書に記載された特徴、数字、段階、動作、構成要素、部分品またはそれらを組み合わせたものが存在する事を指定するだげであって、このような用語の使用によって一つまたはその以上の別の特徴達や数字、段階、動作、構成要素、部分品またはそれらを組み合わせたもの達の存在または付加可能性が排除されるわけではない。また、本明細書に記載された実施例において「モジュール」または「部」は少なくとも一つの機能や動作を行う機能的部分を意味できる。
【００７４】
ちなみに、別に定義づけられない限り技術的だったり科学的な用語を含めてここで使用されるすべての用語たちは本発明が属する技術分野で通商の知識を持った人によって一般的に理解されることと同一な意味を持つ。一般的に使用される辞書に定義づけられているような用語たちは関連技術が文脈で持つ意味と一致する意味がある事と解釈されるべきであり、本発明の明細書で明白に定義づけない限り理想的だったり過度に形式的な意味に解釈されない。
【００７５】
以下、添付された図面を参考して本発明の実施例をより詳細に説明する。ただし、以下の説明では本発明の要旨を不必要に曇らせる恐れがある場合、広く知れ渡った機能や構成に関する具体的な説明は省略することとする。
【００７６】
図１は本発明の一実施例に従う宿泊施設共有サービス提供のためのウェブサーバーがクライアント達及び事業者端末と接続されるネットワークダイアグラムを図示した図面である。
【００７７】
図１の図示のとおり、旅行者たちはクライアント達(120)を利用して本発明の一実施例に従う宿泊施設共有サービス提供のためのウェブサーバー(100)に通信網(150)を通じて接続してウェブサーバー(100)で提供するウェブページ達/ウインドーページ達を通じてウェブサーバー(100)で提供する宿泊施設に関する情報を閲覧したり、ウェブサーバー(100)に宿泊施設使用申し込みを送信出来る。また旅行者たちはクライアント達(120)を利用してウェブサーバー(100)に通信網(150)を通じて接続して本発明の実施例達を具現するために必要な各種メッセージをウェブサーバー(100)に送信出来る。ウェブサーバー(100)は本発明の実施例たちに従う宿泊施設共有サービス提供のために必要なハードウェアプラットホーム上に搭載されて実行される多様な種類のソフトウェア/プログラムを含む事が出来る。ウェブサーバー(100)は一つまたはその以上のプロキシサーバー(proxyserver)を含むことが出来るひとつ以上のサーバー級パソコンに具現できる。一実施例において、ウェブサーバー(100)は負荷均衡PC-クラスターサーバーのようなPC-クラスターベースのサーバーに具現できる。一実施例において、ウェブサーバー(100)は専用サーバー(dedicatedserver)のようなコーローケイティドサーバー(collocatedserver)、ホスティングサーバーまたはクラウドサーバー(cloudserver)に具現できる。本開始においてクライアント(120)はクライアント端末を称する意味で使用されるが文脈によってはクライアント端末を使用する宿泊施設の所有者及び/または旅行者を称する意味にも使用されることに注意しなければならない。一実施例において、クライアント(120)は無線ラン及び/または有線ランモジュールを具備したデスクトップ(desktop)またはラプトップ(laptop)PC、タブレットPC、ノートパンコン、ノートパッドなどのポータブル端末、スマートホンなどのような多様な種類のハンドヘルド(Handheld)ベースの無線通信デバイス、ワークステーション、IPTV(InternetProtocolTelevision)、インタネットTV(InternetTelevision)、地上テレビ、ケーブルテレビなどのスマートTVなどを含むことが出来るが、クライアントの種類がこれに制限されるわけではない。事業者端末(130)は本発明の一実施例に従うウェブサービスを提供される旅行者たちが旅行する旅行地域、つまり宿泊施設たちがある地域たちの近くで運営される端末でありえる。事業者端末(130)はウェブサーバー(100)を運営する事業者またはその指揮制御下にある人達が所持する端末として、旅行者達として本人を識別する識別情報をそれに入力するようにしてウェブサーバー(100)に該当情報を含むメッセージを送信することに使用出来る。事業者端末(130)はタブレットPC、ノートパンコン、ノートパッドなどのポータブル端末、スマートホンなどのような多様な種類のハンドヘルド(Handheld)ベースの無線通信デバイスなどを含むことが出来るが、事業者端末の種類がこれに制限されるわけではない。
【００７８】
一実施例において、クライアント(120)はウェブブラウザを具備出来てこれを活用して、通信網(150)を通じてウェブサーバー(100)にアクセスしてウェブサーバー(100)で提供するウェブページ達をブラウジング及び検索できるように構成される事が出来る。クライアント(120)に搭載可能なウェブブラウザとは、オペラ(Opera)、ファイアフォックス(FireFox)、サファリ(Safari)、インタネットエクスプローラー(InternetExplorer)、マイクロソフトエッジ(MicrosoftEdge)、グーグルクロム(GoogleChrome)、ナビゲーター(Navigator)などのPC用ウェブブラウザ(webbrowser)またはオペラミニー(OperaMini)、ファイアフォックスモバイル(FirefoxMobile)、モバイルサファリ(MobileSafari)、グーグルモバイル(GoogleMobile)などのモバイル用ウェブブラウザを数えることが出来る。クライアント(120)はウェブサーバー(100)から通信網(150)を通じて供給されて実行されるアプリケーションプログラムまたはプラグイン(plug-in)を搭載出来る。
【００７９】
通信網(150)はインタネット(Internet)、Wi-Fi(WiFi)ネットワーク、近距離通
信網  (LocalAreaNetwork:LAN)、    広域通信網(WideAreaNetwork:WAN)、付加価値通
信網(ValueAddedNetwork:VAN)、個人近距離無線通信(PersonalAreaNetwork:PAN)、PCS
(PersonalCommunicationSystem)、GSM(GlobalSystemforMobilecommunications)、PDC
(PersonalDigitalCellular)、PHS(PersonalHandyphoneSystem)、PDA(PersonalDigitalAssistant)、IMT(InternationalMobileTelecommunication)-2000、CDMA(CodeDivision
MultipleAccess)-2000、W-CDMA(W-Co deDivisionMultipleAccess) 、Wibro(WirelessB
roadbandInternet)または4G(LTE/LTE-Advanced)などの移動通信網または衛星通信網な
どのようなすべての種類の有・無線ネットワークを含む事が出来るが、通信網(150)の
種類がこれに限定されるわけではない。
【００８０】
図２は図１に図示されたウェブサーバーの構成の一実施例を図示したブロック図である。
【００８１】
図示されてある通り、本発明の一実施例に従う宿泊施設共有サービス提供のためのウェブサーバー(100)はデータベース部(210)を含むことが出来る。データベース部(210)は複数の宿泊施設に関する情報を保存する事が出来る。クライアント達(120)のそれぞれがウェブサーバー(100)で提供するウェブページ・ウインドーページなどを利用して本人が提供する宿泊施設に関する情報をウェブサーバー(100)にアップロードすると、このような情報がデータベース部(210)に保存されることが出来る。一実施例において宿泊施設は本人が住む住宅または該当住宅に含まれたひとつ以上の部屋でありえるがその種類がこれに制限されるわけではない。本人が提供する宿泊施設に関する情報は該当宿泊施設が属する地域(国・都市または具体的な注所)、該当宿泊施設の種類(住宅、オフィステル、アパートなど)、該当宿泊施設の開房期間(開房日時及び廢房日時)、該当宿泊施設に具備されてある設備及びアメニティー、該当宿泊施設を撮影した映像などを含む事が出来る。一実施例において、データベース部(210)はディスクドライブ、磁気ディスク、光ディスクまたは別の適切な記憶デバイスを利用して具現できる。
【００８２】
ウェブサーバー(100)はホストデバイス(220)をさらに含める事が出来る。ホストデバイス(220)は通信部(227)を含むことが出来る。通信部(227)は複数のクライアント(120)からそれぞれ宿泊施設使用申し込みを受信するように構成される事が出来る。通信部(227)はこのような宿泊施設使用申し込みを断続的に受信出来る。ここで宿泊施設申し込みのそれぞれはデータベース部(210)に保存されている複数の宿泊施設の内、少なくとも一つを指定する情報を含む事が出来る。一実施例において、クライアント(120-1)は利用しようとする宿泊施設としてイギリスロンドンにある宿泊施設とフランスのパリにある宿泊施設を指定して宿泊施設使用申し込みをウェブサーバー(100)に送信出来る。別の実施例において、クライアント(120-2)は１次に利用しようとする宿泊施設として韓国ソウルにある宿泊施設を指定して２次に利用しようとする宿泊施設としてアメリカニューヨークにある宿泊施設を指定して宿泊施設使用申し込みをウェブサーバー(100)に送信出来る。通信部(227)はクライアント達(120)と通信網(150)を通じて、たとえばIP(InternetProtocol)ベースの通信を行うためのハードウェア及びソフトウェア・ファームウェアに具現できる。一実施例において、通信部(227)はTCP/IP通信プロトコルを従う通信インターフェースによって具現できる。
【００８３】
ホストデバイス(220)はデータベース部(210)と連動され、宿泊施設申し込みに基づいて宿泊施設共有候補グループを構成するように構成された制御部(225)をさらに含める事が出来る。ここで宿泊施設共有候補グループはグループIDによって識別され、このグループIDは複数のメンバーIDと連関される事ができる。複数のメンバーIDは構成された宿泊施設共有候補グループに属した複数のクライアント(120)の内一部のクライアント達を識別出来る。構成された宿泊施設共有候補グループは１次宿泊候補グループだけを含むことが出来たり、１次、２次、３次など高次の宿泊候補グループ達を含むことも出来る。１次宿泊候補グループだけを構成する場合を例示すると、図３に例示されているように、アメリカニューヨークに住むメンバーAが1月1日12:00から1月10日10:00までイギリスロンドンに住むメンバーBの宿泊施設を使用してイギリスロンドンに住むメンバーBが同期間の間フランスのパリに住むメンバーCの宿泊施設を使用してフランスのパリに住むメンバーCが同期間の間韓国ソウルに住むメンバーDの宿泊施設を使用して韓国ソウルに住むメンバーDが同期間の間アメリカニューヨークに住むメンバーAの宿泊施設を使用する形にメンバーたちがお互いの宿泊施設を代わる代わる使用する場合(廢ループ形共有)がありえる。すべてのメンバーを対象に１次から３次宿泊候補グループを構成する場合を例示すると、図４に例示されているように、メンバーAがメンバーB、メンバーC、メンバーDの宿泊施設達を１次、２次及び３次にわたって順番的に使用してメンバーBがメンバーC、メンバーD、メンバーAの宿泊施設達を順番的に使用してメンバーCがメンバーD、メンバーA、メンバーBの宿泊施設達を順番的に使用してメンバーDがメンバーA、メンバーB、メンバーCの宿泊施設達を順番的に使用する形にメンバー達がお互いの宿泊施設達を代わる代わる使用する場合がありえる。これだけではなく、一部のメンバー達を対象に１次及び２次宿泊候補グループを構成して残り一部のメンバー達を対象に１次から３次宿泊候補グループを構成する場合もありえる。この場合を図５を参照して例示すると、まずメンバーAは1月1日12:00から1月10日10:00までメンバーBの宿泊施設を使用して1月10日18:00から1月30日12:00まではメンバーCの宿泊施設を使用することとして１次及び２次宿泊候補グループに含まれる。メンバーBは1月1日12:00から1月19日12:00までメンバーAの宿泊施設を使用して1月20日12:00から1月31日12:00まではメンバーDの宿泊施設を使用する事として１次及び２次宿泊候補グループに含まれる。メンバーCは1月1日12:00から1月20日12:00までメンバーDの宿泊施設を使用して1月21日12:00から1月23日12:00までメンバーAの宿泊施設を使用して1月24日12:00から1月31日10:00まではメンバーBの宿泊施設を使用する事として１次から３次宿泊候補グループに含まれる。メンバーDは1月1日12:00から1月10日10:00までメンバーCの宿泊施設を使用して1月10日18:00から1月23日12:00までメンバーBの宿泊施設を使用して1月24日12:00から1月30日12:00まではメンバーAの宿泊施設を使用する事として１次から３次宿泊候補グループに含まれる。以上では廢ループ形になった１次宿泊候補グループとして宿泊施設共有候補グループを構成したり廢ループ形または混在形の多次宿泊候補グループとして宿泊施設共有候補���ループを構成する場合を例示したが他の多様な方式で宿泊施設共有候補グループを構成する実施例たちも可能であり、そのような実施例たちはすべて本発明の範囲に含まれることと理解されるべきである。
【００８４】
制御部(225)は複数のメンバー達の間で提供宿泊施設に対する廢房日時ペナルティー金額、提供宿泊施設に対する開房日時ペナルティー金額、使用宿泊施設に対する廢房日時ペナルティー金額、使用宿泊施設に対する開房日時ペナルティー金額、提供宿泊施設に対する設備瑕疵ペナルティー金額、使用宿泊施設に対する設備瑕疵ペナルティー金額、提供宿泊施設の開房日時、提供宿泊施設の廢房日時、使用宿泊施設の開房日時及び/または使用宿泊施設の廢房日時に関して調整が行われるように仲裁する機能を行うように構成される事が出来る。たとえば制御部(225)は複数のメンバーIDによってそれぞれ識別される一部のクライアント達のそれぞれから該当提供に対する廢房日時ペナルティー金額に関する情報を含むメッセージを通信部(227)を通じて受信して、受信した廢房日時ペナルティー金額に関する情報を該当提供宿泊施設を使用するメンバーのメンバーIDによって識別されるクライアントに伝達してお互いに廢房日時ペナルティー金額に対する調整が行われるようにすることが出来る。制御部(225)は複数のメンバーIDによってそれぞれ識別される一部のクライアント達のそれぞれから該当提供に対する開房日時ペナルティー金額に関する情報を含むメッセージを通信部(227)を通じて受信して、受信した開房日時ペナルティー金額に関する情報を該当提供宿泊施設を使用するメンバーのメンバーIDによって識別されるクライアントに伝達してお互いに開房日時ペナルティー金額に対する調整が行われるようにすることが出来る。制御部(225)は複数のメンバーIDによってそれぞれ識別される一部のクライアント達のそれぞれから該当提供に対する設備瑕疵ペナルティー金額に関する情報を含むメッセージを通信部(227)を通じて受信して受信した設備瑕疵ペナルティー金額に関する情報を該当提供宿泊施設を使用するメンバーのメンバーIDによって識別されるクライアントに伝達してお互いに設備瑕疵ペナルティー金額に対する調整が行われるようにすることが出来る。制御部(225)は、廢房日時ペナルティー金額、開房日時ペナルティー金額及び/または設備瑕疵ペナルティー金額の算定に助けを与えるために複数のメンバーIDによってそれぞれ識別される一部のクライアント達のそれぞれに該当提供宿泊施設から先定された距離内に位置する少なくとも一つの近くの宿泊施設の宿泊料に関する情報を通信部(227)を通じて提供するようにさらに構成できる。
【００８５】
複数のメンバー達の間で提供宿泊施設に対する廢房日時ペナルティー金額、提供宿泊施設に対する開房日時ペナルティー金額、使用宿泊施設に対する廢房日時ペナルティー金額、使用宿泊施設に対する開房日時ペナルティー金額、提供宿泊施設に対する設備瑕疵ペナルティー金額、使用宿泊施設に対する設備瑕疵ペナルティー金額、提供宿泊施設の開房日時、提供宿泊施設の廢房日時、使用宿泊施設の開房日時及び/または使用宿泊施設の廢房日時に関して調整が行われると、制御部(225)は複数のメンバーIDのそれぞれと関連したメンバー情報をデータベース部(210)に保存することによって宿泊施設共有候補グループを構成する事が出来る。この場合、制御部(225)は複数のメンバーIDのそれぞれに対してデータベース部(210)に既に保存された宿泊施設に関する情報、このような情報を更新した情報及び/または宿泊施設共有候補グループの構成過程の中で新しく生成された情報を利用して該当メンバーIDと関連したメンバー情報を構成する事が出来る。本開始においてメンバー情報をデータベース部(210)に保存するということはメンバー情報を新しく保存する意味だけではなく、既に保存されたまたは部分的に既に保存された情報を独りでまたは新しく生成された情報と一緒に利用してリレーショナルデータテーブル(relationaldatatable)などのデータ仕組みを生成する意味も含むことで理解されるべきである。複数のメンバーIDのそれぞれと関連したメンバー情報は提供宿泊施設(該当メンバーが提供する宿泊施設)の開房日時、提供宿泊施設の廢房日時、使用宿泊施設(該当メンバーが使用するようになる宿泊施設)の開房日時、使用宿泊施設の廢房日時、提供宿泊施設に対する開房日時ペナルティー金額、提供宿泊施設に対する廢房日時ペナルティー金額、使用宿泊施設に対する開房日時ペナルティー金額及び使用宿泊施設に対する廢房日時ペナルティー金額に関する情報を含む事が出来る。また複数のメンバーIDのそれぞれと関連したメンバー情報は該当メンバーIDと関連した口座に関する情報をさらに含める事が出来る。ここで複数のメンバーIDに対する使用宿泊施設は複数のメンバーIDの内、一つのメンバーIDによって識別されるメンバーによって提供される宿泊施設でありえる。複数のメンバーIDのそれぞれと関連したメンバー情報は提供宿泊施設に対する設備瑕疵ペナルティー金額及び使用宿泊施設に対する設備瑕疵ペナルティー金額に関する情報をさらに含める事が出来る。
【００８６】
制御部(225)は複数のメンバーIDのそれぞれによって識別されるクライアントが該当提供に対する開房日時ペナルティー金額及び該当使用宿泊施設に対する廢房日時ペナルティー金額を事業者によって指定された口座まで入金せよと案内する案内メッセージを通信部(227)を通じて送信するようにさらに構成できる。一実施例において、案内メッセージは該当メンバーIDと関連した口座から事業者によって指定された口座までの該当提供に対する開房日時ペナルティー金額及び該当使用宿泊施設に対する廢房日時ペナルティー金額の口座振替の承認を求める承認要求メッセージを含むことが出来る。制御部(225)は複数のメンバーIDのそれぞれに対して該当提供に対する廢房日時ペナルティー金額及び該当使用宿泊施設に対する開房日時ペナルティー金額が事業者によって指定された口座まで預けされたことをオンラインで確認するように構成される事が出来る。一実施例で制御部(225)は総合セービング管理装置(図示されない)と連動されるように構成出来て、この総合セービング管理装置を通じてオンライン上で前述した金額が事業者によって指定された口座まで預けされたことを確認する事が出来る。制御部(225)は複数のメンバーIDのそれぞれに対して前述した金額が事業者によって指定された口座まで入金されたことを確認することに応答して宿泊施設共有候補グループを宿泊施設共有グループに確定するようさらに構成できる。一実施例において、確定された宿泊施設共有グループに対するグループIDは宿泊施設共有候補グループに対するグループIDと同一な可能性がある。別の実施例において、確定された宿泊施設共有グループに対するグループIDは宿泊施設共有候補グループに対するグループIDと違う可能性がある。
【００８７】
制御部(225)は、複数のメンバーIDのそれぞれによって識別されるクライアントが該当提供に対する設備瑕疵ペナルティー金額を事業者によって指定された口座まで入金せよと案内する案内メッセージを通信部(227)を通じて送信するようにさらに構成できる。一実施例において、案内メッセージは該当メンバーIDと関連した口座から事業者によって指定された口座までの該当提供宿泊施設に対する設備瑕疵ペナルティー金額の口座振替の承認を求める承認要求メッセージを含むことが出来る。制御部(225)は、複数のメンバーIDのそれぞれに対して該当使用宿泊施設に対する設備瑕疵ペナルティー金額が事業者によって指定された口座まで預けされたことを、たとえば総合セービング管理装置を通じてオンラインで確認してそれに応答して宿泊施設共有候補グループを宿泊施設共有グループに確定するようさらに構成できる。一実施例において、確定された宿泊施設共有グループに対するグループIDは宿泊施設共有候補グループに対するグループIDと同一な可能性がある。別の実施例において、確定された宿泊施設共有グループに対するグループIDは宿泊施設共有候補グループに対するグループIDと違う可能性がある。
【００８８】
制御部(225)は確定された宿泊施設共有グループのグループIDと関連した特定メンバーIDによって識別されるクライアントから該当提供宿泊施設が廢房されている事を知らせる通知メッセージを該当提供宿泊施設の廢房日時から先定された時間内に通信部(227)を通じて受信出来ない場合、事業者端末(130)まで該当提供宿泊施設まで出動せよという出動命令メッセージを通信部(227)を通じて送信するようにさらに構成できる。一実施例で先定された時間は0時間から２４時間以内の任意の時間に設定する事が出来る。制御部(225)は事業者端末(130)から特定メンバーIDを識別する識別情報を含むメッセージを通信部(227)を通じて受信することに応答して特定メンバーIDと関連した口座まで該当提供に対する廢房日時ペナルティー金額が総合セービング管理装置などを通じてオンライン入金されるようにさらに構成できる。ここで特定メンバーIDは該当提供宿泊施設を提供するクライアント、つまり該当提供宿泊施設の所有主を識別するメンバーIDまたは該当提供宿泊施設を２次、または３次などで使用するクライアントを識別するメンバーIDでありえる。またここで特定メンバーIDを識別する識別情報は、特定メンバーIDを識別するパスワード、指紋情報、血管情報、虹彩情報、網膜情報、音声情報、画像情報、署名情報、テキスト情報、音情報及びパスワード、指紋情報、血管情報、虹彩情報、網膜情報、音声情報、画像情報、署名情報、テキスト情報、または音情報を暗号化した情報の内いずれか一つでありえる。別の実施例において特定メンバーIDによって識別されるクライアントから事業者識別情報を含むメッセージを通信部(227)を通じて受信することに応答して特定メンバーIDと関連した口座まで該当提供に対する廢房日時ペナルティー金額がオンライン入金されるように制御部(225)を構成する事も可能である。一実施例で事業者識別情報は事業者端末(130)を所持した、事業者の指揮下にいる従業員だけが分かる識別情報、そのような従業員達を識別できる情報または事業者端末(130)を所持した従業員が事業者またはウェブサーバー(100)から与えられた情報でありえる。さらに別の実施例で、確定された宿泊施設共有グループのグループIDと関連した特定メンバーIDによって識別されるクライアントから該当提供宿泊施設が廢房されている事を知らせる通知メッセージを該当提供宿泊施設の廢房日時から先定された時間内に通信部(227)を通じて受信出来ず事業者端末(130)から特定メンバーIDを識別する識別情報を含むメッセージを通信部(227)を通じて受信したり特定メンバーIDによって識別されるクライアントから事業者識別情報を含むメッセージを通信部(227)を通じて受信する場合、特定メンバーIDと関連した口座まで該当提供に対する廢房日時ペナルティー金額がオンライン入金されるように制御部(225)を具現出来る。
【００８９】
制御部(225)は、特定メンバーIDによって識別されるクライアントから該当使用宿泊施設が該当使用宿泊施設の開房日時から開房されている事を知らせる通知メッセージを該当使用宿泊施設の開房日時から先定された時間内に通信部(227)を通じて受信出来ない場合、事業者端末(130)まで該当使用宿泊施設まで出動せよという出動命令メッセージを通信部(227)を通じて送信するようにさらに構成できる。一実施例で先定された時間は0時間から２４時間以内の任意の時間に設定する事が出来る。制御部(225)は、事業者端末(130)から特定メンバーIDを識別する識別情報を含むメッセージを通信部(227)を通じて受信することに応答して特定メンバーIDと関連した口座まで該当使用宿泊施設に対する開房日時ペナルティー金額が総合セービング管理装置などを通じてオンライン入金されるようにさらに構成できる。ここで特定メンバーIDは該当使用宿泊施設を１次、２次または３次などで使用するクライアントを識別するメンバーIDでありえる。またここでも特定メンバーIDを識別する識別情報は、特定メンバーIDを識別するパスワード、指紋情報、血管情報、虹彩情報、網膜情報、音声情報、画像情報、署名情報、テキスト情報、音情報及びパスワード、指紋情報、血管情報、虹彩情報、網膜情報、音声情報、画像情報、署名情報、テキスト情報、または音情報を暗号化した情報の内いずれか一つでありえる。別の実施例において特定メンバーIDによって識別されるクライアントから事業者識別情報を含むメッセージを通信部(227)を通じて受信することに応答して特定メンバーIDと関連した口座まで該当使用宿泊施設に対する開房日時ペナルティー金額がオンライン入金されるように制御部(225)を構成する事も可能である。一実施例で事業者識別情報は事業者端末(130)を所持した、事業者の指揮下にいる従業員だけが分かる識別情報、そのような従業員達を識別できる情報または事業者端末(130)を所持した従業員が事業者またはウェブサーバー(100)から与えられた情報でありえる。また別の実施例において、確定された宿泊施設共有グループのグループIDと関連した特定メンバーIDによって識別されるクライアントから該当使用宿泊施設が開房されている事を知らせる通知メッセージを該当使用宿泊施設の開房日時から先定された時間内に通信部(227)を通じて受信出来ず事業者端末(130)から特定メンバーIDを識別する識別情報を含むメッセージを通信部(227)を通じて受信したり特定メンバーIDによって識別されるクライアントから事業者識別情報を含むメッセージを通信部(227)を通じて受信する場合、特定メンバーIDと関連した口座まで該当使用宿泊施設に対する開房日時ペナルティー金額がオンライン入金されるように制御部(225)を具現出来る。
【００９０】
制御部(225)は、確定された宿泊施設共有グループのグループIDと関連した特定メンバーIDによって識別されるクライアントから該当使用宿泊施設に設備瑕疵があることを知らせる通知メッセージを通信部(227)を通じて受信する場合、通知メッセージを受信した時間から先定された時間が経過した後事業者端末(130)まで該当使用宿泊施設まで出動せよという出動命令メッセージを通信部(227)を通じて送信するようにさらに構成できる。一実施例で先定された時間は0時間から２４時間以内の任意の時間に設定する事が出来る。制御部(225)は、事業者端末(130)から特定メンバーIDを識別する識別情報を含むメッセージを通信部(227)を通じて受信することに応答して特定メンバーIDと関連した口座まで該当使用宿泊施設に対する設備瑕疵ペナルティー金額が、たとえば総合セービング管理装置などを通じてオンライン入金されるようにさらに構成できる。ここで特定メンバーIDは該当使用宿泊施設を１次、２次または３次などで使用するクライアントを識別するメンバーIDでありえる。ここでも特定メンバーIDを識別する識別情報は、特定メンバーIDを識別するパスワード、指紋情報、血管情報、虹彩情報、網膜情報、音声情報、画像情報、署名情報、テキスト情報、音情報及びパスワード、指紋情報、血管情報、虹彩情報、網膜情報、音声情報、画像情報、署名情報、テキスト情報、または音情報を暗号化した情報の内いずれか一つでありえる。別の実施例において特定メンバーIDによって識別されるクライアントから事業者識別情報を含むメッセージを通信部(227)を通じて受信することに応答して特定メンバーIDと関連した口座まで該当使用宿泊施設に対する設備瑕疵ペナルティー金額がオンライン入金されるように制御部(225)を構成することも可能である。一実施例で事業者識別情報は事業者端末(130)を所持した事業者の指揮下にいる従業員だけが分かる識別情報、そのような従業員達を識別できる情報または事業者端末(130)を所持した従業員が事業者またはウェブサーバー(100)から与えられた情報でありえる。さらに別の実施例において、確定された宿泊施設共有グループのグループIDと関連した特定メンバーIDによって識別されるクライアントから該当使用宿泊施設に設備瑕疵があることを知らせる通知メッセージを通信部(227)を通じて受信して事業者端末(130)から特定メンバーIDを識別する識別情報を含むメッセージを通信部(227)を通じて受信したり特定メンバーIDによって識別されるクライアントから事業者識別情報を含むメッセージを通信部(227)を通じて受信する場合、特定メンバーIDと関連した口座まで該当使用宿泊施設に対する設備瑕疵ペナルティー金額がオンライン入金されるように制御部(225)を具現出来る。
【００９１】
以上で説明した制御部(225)の実施例は、ハードウェア的側面から応用注文形集積回路(ApplicationSpecificIntegratedCircuits:ASICs)、デジタル信号プロセッサ(D
igitalSignalProcessors:DSPs)、デジタル信号プロセシングデバイス(DigitalSignalP
rocessingDevices:DSPDs)、プログラム可能ロジックデバイス(ProgrammableLogicDevi
ces:PLDs)、現場プログラム可能ゲートアレイ(Field-ProgrammableGateArrays:FPGAs)
、プロセッサー(processors)、コントローラー(controllers)、マイクロコントローラー(micro-controllers)及びマイクロプロセッサー(microprocessors)の内、少なくと
も一つを利用して具現できる。手続きや段階、または機能を含むウェブサーバー(100)の実施例たちは少なくとも一つの機能または動作を行うようにする、ハードウェアプラットホーム(platform)上で実行可能なファームウェア(firmware)/ソフトウェアモジュールに具現できる。ソフトウェアモジュールは適切なプログラム(program)言語で書かれたソフトウェアアプリケーション(application)によって具現できる。
【００９２】
図６は本発明に従ってウェブプラットフォームベースの宿泊施設共有サービスを提供する方法において宿泊施設共有グループを確定する手続きを説明するためのフローチャートの一実施例を図示した図面である。
【００９３】
本手続きは複数の宿泊施設に関する情報を保存するデータベース部(210)を準備する段階(S605)から始まる。前述したように、クライアント達(120)のそれぞれがウェブサーバー(100)から提供するウェブページ・ウインドーページなどを利用して本人が提供する宿泊施設に関する情報をウェブサーバー(100)にアップロードすると、このような情報■集まって複数の宿泊施設に関する情報としてデータベース部(210)■保存されることが出来る。段階(S607)では複数のクライアント(120)からそれぞれ宿泊施設使用申し込みを受信する。ここで宿泊施設申し込みのそれぞれは複数の宿泊施設の内、少なくとも一つを指定する情報を含む事が出来る。段階(S610)では宿泊施設申し込みに基づいて宿泊施設共有候補グループを構成する。ここで宿泊施設共有候補グループはグループIDによって識別され、このグループIDは複数のメンバーIDと連関される事ができる。複数のメンバーIDは構成された宿泊施設共有候補グループに属した複数のクライアント(120)の内一部のクライアント達を識別出来る。本段階では複数のメンバー達の間で提供宿泊施設に対する廢房日時ペナルティー金額、提供宿泊施設に対する開房日時ペナルティー金額、使用宿泊施設に対する廢房日時ペナルティー金額、使用宿泊施設に対する開房日時ペナルティー金額、提供宿泊施設に対する設備瑕疵ペナルティー金額、使用宿泊施設に対する設備瑕疵ペナルティー金額、提供宿泊施設の開房日時、提供宿泊施設の廢房日時、使用宿泊施設の開房日時及びまたは使用宿泊施設の廢房日時に関して調整が行われるように仲裁する手続きが行わることが出来る。本段階では前述した仲裁手続きを実行して、複数のメンバー達の間で調整が行わると複数のメンバーIDのそれぞれと関連したメンバー情報をデータベース部(210)に保存して宿泊施設共有候補グループを構成する。前述したように、複数のメンバーIDのそれぞれと関連したメンバー情報は提供宿泊施設の開房日時、提供宿泊施設の廢房日時、使用宿泊施設の開房日時、使用宿泊施設の廢房日時、提供宿泊施設に対する開房日時ペナルティー金額、提供宿泊施設に対する廢房日時ペナルティー金額、使用宿泊施設に対する開房日時ペナルティー金額、使用宿泊施設に対する廢房日時ペナルティー金額、提供宿泊施設に対する設備瑕疵ペナルティー金額及び使用宿泊施設に対する設備瑕疵ペナルティー金額に関する情報を含む事が出来る。また複数のメンバーIDのそれぞれと関連したメンバー情報は該当メンバーIDと関連した口座に関する情報をさらに含める事が出来る。
【００９４】
段階(S612)では複数のメンバーIDのそれぞれによって識別されるクライアントで該当提供に対する開房日時ペナルティー金額、該当使用宿泊施設に対する廢房日時ペナルティー金額及びまたは該当提供に対する設備瑕疵ペナルティー金額を事業者によって指定された口座まで入金せよと案内する案内メッセージを通信部(227)を通じて送信出来る。段階(S615)では複数のメンバーIDのそれぞれに対して該当提供に対する廢房日時ペナルティー金額、該当使用宿泊施設に対する開房日時ペナルティー金額及びまたは該当使用宿泊施設に対する設備瑕疵ペナルティー金額が事業者によって指定された口座まで預けされたことをオンラインで確認することに応答して宿泊施設共有候補グループを宿泊施設共有グループに確定する。
【００９５】
図７は本発明に従ってウェブプラットフォームベースの宿泊施設共有サービスを提供する方法において提供宿泊施設が決まった廢房日時に廢房されてない場合、提供宿泊施設に対する廢房日時ペナルティー金額を支給する手続きを説明するためのフローチャートの一実施例を図示した図面である。
【００９６】
本手続きは確定された宿泊施設共有グループのグループIDと関連したメンバーIDに対するインデックスiを1に設定する段階(S705)から始まる。(確定された宿泊施設共有グループのグループIDと関連したメンバーIDたちの総数を任意の自然数Nに仮定するとする。)段階(S707)ではメンバーIDiによって識別されるクライアントから該当提供宿泊施設が廢房されている事を知らせる通知メッセージを該当提供宿泊施設の廢房日時から先定された時間内に通信部(227)を通じて受信したかを検査する。段階(S707)での検査結果メンバーIDiによって識別されるクライアントから該当提供宿泊施設が廢房されている事を知らせる通知メッセージを該当提供宿泊施設の廢房日時から先定された時間内に通信部(227)を通じて受信したことに判断される場合、手続きは段階(S717)に進行する。一方、メンバーIDiによって識別されるクライアントから該当提供宿泊施設が廢房されている事を知らせる通知メッセージを該当提供宿泊施設の廢房日時から先定された時間内に通信部(227)を通じて受信出来なかったことに判断される場合、事業者端末(130)まで該当提供宿泊施設まで出動せよという出動命令メッセージを通信部(227)を通じて送信する。(段階(S710))段階(S712)では事業者端末(130)から特定メンバーIDを識別する識別情報を含むメッセージを第2の先定された時間内に通信部(227)を通じて受信したかを検査する。段階(S712)での検査結果事業者端末(130)から特定メンバーIDを識別する識別情報を含むメッセージを第２の先定された時間内に通信部(227)を通じて受信出来なかったことに判断される場合、手続きは段階(S717)に進行する。一方、事業者端末(130)から特定メンバーIDを識別する識別情報を含むメッセージを第２の先定された時間内に通信部(227)を通じて受信したことに判断される場合、段階(S715)で特定メンバーIDと関連した口座まで該当提供に対する廢房日時ペナルティー金額が総合セービング管理装置などを通じてオンライン入金されるようにする。段階(S717)ではメンバーIDに対するインデックスiがNなのかを検査する。段階(S717)での検査結果メンバーIDに対するインデックスiがNであることに判断される場合手続きを終了する。一方、メンバーIDに対するインデックスiがNでないことに判断される場合段階(S720)でiを1だけ増加させて段階(S707)に復帰する。
【００９７】
図８は本発明に従ってウェブプラットフォームベースの宿泊施設共有サービスを提供する方法において使用宿泊施設が決まった開房日時に開房されてない場合、使用宿泊施設に対する開房日時ペナルティー金額を支給する手続きを説明するためのフローチャートの一実施例を図示した図面である。
【００９８】
本手続きは確定された宿泊施設共有グループのグループIDと関連したメンバーIDに対するインデックスiを1に設定する段階(S805)から始まる。段階(S807)ではメンバーIDiによって識別されるクライアントから該当使用宿泊施設が開房されている事を知らせる通知メッセージを該当使用宿泊施設の開房日時から先定された時間内に通信部(227)を通じて受信したかを検査する。段階(S807)での検査結果メンバーIDiによって識別されるクライアントから該当使用宿泊施設が開房されている事を知らせる通知メッセージを該当使用宿泊施設の開房日時から先定された時間内に通信部(227)を通じて受信したことに判断される場合、手続きは段階(S817)に進行する。一方、メンバーIDiによって識別されるクライアントから該当使用宿泊施設が開房されている事を知らせる通知メッセージを該当使用宿泊施設の開房日時から先定された時間内に通信部(227)を通じて受信出来なかったことに判断される場合、事業者端末(130)まで該当使用宿泊施設まで出動せよという出動命令メッセージを通信部(227)を通じて送信する。(段階(S810))。段階(S812)では事業者端末(130)から特定メンバーIDを識別する識別情報を含むメッセージを第２の先定された時間内に通信部(227)を通じて受信したかを検査する。段階(S812)での検査結果事業者端末(130)から特定メンバーIDを識別する識別情報を含むメッセージを第２の先定された時間内に通信部(227)を通じて受信出来なかったことに判断される場合、手続きは段階(S817)に進行する。一方、事業者端末(130)から特定メンバーIDを識別する識別情報を含むメッセージを第２の先定された時間内に通信部(227)を通じて受信したことに判断される場合、段階(S815)で特定メンバーIDと関連した口座まで該当使用宿泊施設に対する開房日時ペナルティー金額が総合セービング管理装置などを通じてオンライン入金されるようにする。段階(S817)ではメンバーIDに対するインデックスiがNなのかを検査する。段階(S817)での検査結果メンバーIDに対するインデックスiがNであることに判断される場合手続きを終了する。一方、メンバーIDに対するインデックスiがNでないことに判断される場合、段階(S820)でiを1だけ増加させて段階(S807)に復帰する。
【００９９】
図９は本発明に従ってウェブプラットフォームベースの宿泊施設共有サービスを提供する方法において使用宿泊施設に設備瑕疵がある場合、使用宿泊施設に対する設備瑕疵ペナルティー金額を支給する手続きを説明するためのフローチャートの一実施例を図示した図面である。
【０１００】
本手続きは設備瑕疵通知メッセージを受信したかを検査する段階(S905)から始まる。段階(S905)での検査結果設備瑕疵通知メッセージを受信出来なかったことに判断される場合、手続きは段階(S905)に復帰する。一方設備瑕疵通知メッセージを受信したことに判断される場合、段階(S907)で設備瑕疵メッセージを送信したクライアントが確定された宿泊施設共有グループのグループIDと関連したメンバーIDたちの内いずれか一つのメンバーIDによって識別されるクライアントなのかを検査する。段階(S907)での検査結果設備瑕疵メッセージを送信したクライアントが確定された宿泊施設共有グループのグループIDと関連したメンバーIDたちの内、いずれか一つのメンバーIDによって識別されるクライアントでないことに判断される場合、手続きは段階(S905)に復帰する。一方、設備瑕疵メッセージを送信したクライアントが確定された宿泊施設共有グループのグループIDと関連したメンバーIDたちの内いずれか一つのメンバーIDによって識別されるクライアントであることに判断される場合、設備瑕疵通知メッセージを受信した時間から先定された時間が経過した後事業者端末(130)まで上のいずれか一つのメンバーIDに対する該当使用宿泊施設まで出動せよという出動命令メッセージを通信部(227)を通じて送信する(段階(S910))。段階(S912)では事業者端末(130)から上のいずれか一つのメンバーIDを識別する識別情報を含むメッセージを第２の先定された時間内に通信部(227)を通じて受信したかを検査する。段階(S912)での検査結果事業者端末(130)から上のいずれか一つのメンバーIDを識別する識別情報を含むメッセージを第２の先定された時間内に通信部(227)を通じて受信出来なかったことに判断される場合手続きは段階(S905)に復帰する。一方、事業者端末(130)から上のいずれか一つのメンバーIDを識別する識別情報を含むメッセージを第２の先定された時間内に通信部(227)を通じて受信したことに判断される場合、段階(S915)で上のいずれか一つのメンバーIDと関連した口座まで該当使用宿泊施設に対する設備瑕疵ペナルティー金額が、たとえば総合セービング管理装置などを通じてオンライン入金されるようにして手続きは段階(S905)に復帰する。
【０１０１】
以上で説明した本発明の実施例達によると旅行者達の間に宿泊施設をお互い共有させる事によって旅行者達に宿泊料に対する負担を軽減できるようになる。
万一、ある旅行者が別の旅行者の住宅を利用しようとしてもその別の旅行者が第3の別の住宅を利用しようとすると、お互いの選考が合致されず、上の一つの旅行者は上の別の旅行者の住宅を使用出来なくなり、お互いの住宅共有が不可能になる問題がある。さらにこのような問題が部分的に解決されてお互い地球反対側の知らない人同士でお互い相手の住宅を使用出来るような背景がある程度造成される場合だとしても普段よく知っていた人同士ではない場合が殆どである可能性が大きいため、相手だけを一方的に信じてかなりの費用(航空運賃など)、時間、機会を負担したまま該当住宅がある所まで移動する事は一般的に非常に難しい事である。またかなりの信頼が形成されて住宅共有のための該当住宅に移動する段階まで進行された場合だとしても、該当住宅を提供しようとした住宅の主人がわざと約束した日時に提供しようとしてた住宅を提供しなかったり、提供出来ない不可避な事由が発生する可能性も全く排除することはできない。したがって相手だけを一方的に信じて大きな費用(航空運賃など)、時間、機会を負担して他国から数千、数万マイルを移動してきた人の立場では住宅の主人から該当住宅を提供されなくなる状況が起きる可能性がある。このような場合に該当住宅を使用しようとした使用者は一応被害を受けることであって、これを解決しようとすると国際訴訟などでしか解決出来ないが、各国ごとに関連法規及びその適用が違う可能性があってこれも現実的な解決手段になれない。本発明の実施例たちは上のような状況を解決して旅行者たちのお互いの間の住宅共有が現実化される手段を提供する。
【０１０２】
本願に開始された実施例達において、図示された構成要素たちの配置は発明が具現される環境または要求事項に従って異なる場合がある。たとえば、一部の構成要素が政略されたりいくつかの構成要素たちが統合されて一つに実施されることができる。また一部構成要素たちの配置順番及び連結が変更されることが出来る。
【０１０３】
以上では本発明の多様な実施例たちに対して図示して説明したが、本発明は上述した特定の実施例たちに限定されず、上述した実施例たちは添付する特許請求範囲で請求する本発明の要旨を漏れることなく、当該発明が属する技術分野で通商の知識を持った人によって多様に変形されることが出来るのは勿論、このような変形実施例たちが本発明の技術的思想や範囲と別に理解されてはならないことである。したがって、本発明の技術的範囲はただ添付された特許請求の範囲でのみ定められなければならないことである。
【図１】
2020513132.tif 000003
【図２】
2020513132.tif 000004
【図３】
2020513132.tif 000005
【図４】
2020513132.tif 000006
【図５】
2020513132.tif 000007
【図６】
2020513132.tif 000008
【図７】
2020513132.tif 000009
【図８】
2020513132.tif 000010
【図９】
2020513132.tif 000011
【国際調査報告】
2020513132.tif 000012
2020513132.tif 000013
2020513132.tif 000014
2020513132.tif 000015